(57)【特許請求の範囲】
【請求項１】
連携機器を識別する連携識別子と、前記連携機器に関連する関連情報とを対応付けて記憶する関連情報記憶部と、
問合せ対象の機器を識別する対象識別子を含む情報問合せ要求に応じて、受像機器を識別する第１識別子と、前記受像機器に接続されている機器を識別する第２識別子とを対応付けた機器接続情報を記憶する接続情報記憶部を備える管理装置に、前記対象識別子を含み、機器の連携を問合せる連携問合せ要求を送信する連携問合要求部と、
前記連携問合要求部によって送信された前記連携問合せ要求に応じて、前記接続情報記憶部から抽出された、前記第１識別子と前記第２識別子とのいずれか一方の識別子であって、前記対象識別子に対応付けられている識別子を連携識別子として前記管理装置から取得する識別子取得部と、
前記識別子取得部によって取得した前記連携識別子に対応付けられている前記関連情報を、前記関連情報記憶部から取得し、当該関連情報を前記情報問合せ要求の要求元に送信する情報応答部と
を備え、
前記関連情報には、前記受像機器の利用情報が含まれ、
前記識別子取得部は、前記対象識別子が前記受像機器に接続されている機器を識別する識別子である場合に、前記対象識別子と一致する前記第２識別子に対応付けられている前記第１識別子を前記連携識別子として前記管理装置から取得し、前記対象識別子が前記受像機器を識別する識別子である場合に、前記対象識別子と一致する前記第１識別子を前記連携識別子として前記管理装置から取得し、
前記情報応答部は、前記連携識別子に対応付けられている前記受像機器の利用情報を前記情報問合せ要求の要求元に送信する
ことを特徴とするサーバ装置。
【請求項２】
前記関連情報には、前記受像機器に接続されている機器の利用者に関する利用者情報が含まれ、
前記識別子取得部は、前記対象識別子と一致する前記第１識別子に対応付けられている前記第２識別子を前記連携識別子として前記管理装置から取得し、
前記情報応答部は、前記連携識別子に対応付けられている前記利用者情報を前記情報問合せ要求の要求元に送信する
ことを特徴とする請求項１に記載のサーバ装置。
【請求項３】
受像機器を識別する第１識別子と、前記受像機器に接続されている機器を識別する第２識別子とを対応付けた機器接続情報を記憶する接続情報記憶部と、
連携機器を識別する連携識別子と、前記連携機器に関連する関連情報とを対応付けて記憶する関連情報記憶部と、
問合せ対象の機器を識別する対象識別子を含む情報問合せ要求に応じて、前記第１識別子と前記第２識別子とのいずれか一方の識別子であって、前記対象識別子に対応付けられている識別子を前記連携識別子として前記接続情報記憶部から抽出する識別子抽出部と、
前記識別子抽出部によって抽出された前記連携識別子に対応付けられている前記関連情報を、前記関連情報記憶部から取得し、当該関連情報を前記情報問合せ要求の要求元に送信する情報応答部と
を備え、
前記関連情報には、前記受像機器の利用情報が含まれ、
前記識別子抽出部は、前記対象識別子が前記受像機器に接続されている機器を識別する識別子である場合に、前記対象識別子と一致する前記第２識別子に対応付けられている前記第１識別子を前記連携識別子として前記接続情報記憶部から抽出し、前記対象識別子が前記受像機器を識別する識別子である場合に、前記対象識別子と一致する前記第１識別子を前記連携識別子として抽出し、
前記情報応答部は、前記連携識別子に対応付けられている前記受像機器の利用情報を前記情報問合せ要求の要求元に送信する
ことを特徴とするサーバ装置。
【請求項４】
映像受信装置と、少なくとも１つ以上のサーバ装置とを備え、
前記映像受信装置は、
受像機器が接続された場合に、前記受像機器を識別する第１識別子を要求する識別子要求を前記受像機器に送信する識別子要求部と、
前記識別子要求部による識別子要求に応じて前記受像機器から得られた前記第１識別子と、前記映像受信装置を識別する第２識別子とを対応付けた機器接続情報を、前記サーバ装置に送信する連携登録部と
を備え、
少なくとも１つ以上の前記サーバ装置は、
前記機器接続情報を記憶する接続情報記憶部と、
連携機器を識別する連携識別子と、前記連携機器に関連する関連情報とを対応付けて記憶する関連情報記憶部と、
問合せ対象の機器を識別する対象識別子を含む情報問合せ要求に応じて、前記第１識別子と前記第２識別子とのいずれか一方の識別子であって、前記対象識別子に対応付けられている識別子を前記連携識別子として前記接続情報記憶部から抽出する識別子抽出部と、
前記識別子抽出部によって抽出された前記連携識別子に対応付けられている前記関連情報を、前記関連情報記憶部から取得し、当該関連情報を前記情報問合せ要求の要求元に送信する情報応答部と
を備え、
前記関連情報には、前記受像機器の利用情報が含まれ、
前記識別子抽出部は、前記対象識別子が前記受像機器に接続されている機器を識別する識別子である場合に、前記対象識別子と一致する前記第２識別子に対応付けられている前記第１識別子を前記連携識別子として前記接続情報記憶部から抽出し、前記対象識別子が前記受像機器を識別する識別子である場合に、前記対象識別子と一致する前記第１識別子を前記連携識別子として抽出し、
前記情報応答部は、前記連携識別子に対応付けられている前記受像機器の利用情報を前記情報問合せ要求の要求元に送信する
ことを特徴とする機器連携システム。
【請求項５】
連携機器を識別する連携識別子と、前記連携機器に関連する関連情報とを対応付けて記憶する関連情報記憶部を備えるサーバ装置による機器連携方法であって、
問合せ対象の機器を識別する対象識別子を含む情報問合せ要求に応じて、受像機器を識別する第１識別子と、前記受像機器に接続されている機器を識別する第２識別子とを対応付けた機器接続情報を記憶する接続情報記憶部を備える管理装置に、前記対象識別子を含み、機器の連携を問合せる連携問合せ要求を送信する連携問合要求ステップと、
前記連携問合要求ステップによって送信された前記連携問合せ要求に応じて、前記接続情報記憶部から抽出された、前記第１識別子と前記第２識別子とのいずれか一方の識別子であって、前記対象識別子に対応付けられている識別子を連携識別子として前記管理装置から取得する識別子取得ステップと、
前記識別子取得ステップによって取得した前記連携識別子に対応付けられている前記関連情報を、前記関連情報記憶部から取得し、当該関連情報を前記情報問合せ要求の要求元に送信する情報応答ステップと
を含み、
前記関連情報には、前記受像機器の利用情報が含まれ、
前記識別子取得ステップにおいて、前記対象識別子が前記受像機器に接続されている機器を識別する識別子である場合に、前記対象識別子と一致する前記第２識別子に対応付けられている前記第１識別子を前記連携識別子として前記管理装置から取得し、前記対象識別子が前記受像機器を識別する識別子である場合に、前記対象識別子と一致する前記第１識別子を前記連携識別子として前記管理装置から取得し、
前記情報応答ステップにおいて、前記連携識別子に対応付けられている前記受像機器の利用情報を前記情報問合せ要求の要求元に送信する
ことを特徴とする機器連携方法。
【請求項６】
受像機器を識別する第１識別子と、前記受像機器に接続されている機器を識別する第２識別子とを対応付けた機器接続情報を記憶する接続情報記憶部と、
連携機器を識別する連携識別子と、前記連携機器に関連する関連情報とを対応付けて記憶する関連情報記憶部とを備えるサーバ装置による機器連携方法であって、
問合せ対象の機器を識別する対象識別子を含む情報問合せ要求に応じて、前記第１識別子と前記第２識別子とのいずれか一方の識別子であって、前記対象識別子に対応付けられている識別子を前記連携識別子として前記接続情報記憶部から抽出する識別子抽出ステップと、
前記識別子抽出ステップによって抽出された前記連携識別子に対応付けられている前記関連情報を、前記関連情報記憶部から取得し、当該関連情報を前記情報問合せ要求の要求元に送信する情報応答ステップと
を含み、
前記関連情報には、前記受像機器の利用情報が含まれ、
前記識別子抽出ステップにおいて、前記対象識別子が前記受像機器に接続されている機器を識別する識別子である場合に、前記対象識別子と一致する前記第２識別子に対応付けられている前記第１識別子を前記連携識別子として前記接続情報記憶部から抽出し、前記対象識別子が前記受像機器を識別する識別子である場合に、前記対象識別子と一致する前記第１識別子を前記連携識別子として抽出し、
前記情報応答ステップにおいて、前記連携識別子に対応付けられている前記受像機器の利用情報を前記情報問合せ要求の要求元に送信する
ことを特徴とする機器連携方法。
【発明の詳細な説明】
【技術分野】
【０００１】
本発明は、サーバ装置、機器連携システム、機器連携方法に関する。
【背景技術】
【０００２】
近年、テレビジョン（以下、テレビという）などの機器を利用して、利用者にネットワークサービスを提供するシステムが使用されている。このようなシステムでは、例えば、テレビと、ＳＴＢ（Ｓｅｔ  Ｔｏｐ  Ｂｏｘ）などの他の機器とが接続された場合に、複数の機器を連携したネットワークサービスの提供が期待されている。
また、複数の機器を連携させる技術が知られている（例えば、特許文献１、及び特許文献２を参照）。
【先行技術文献】
【特許文献】
【０００３】
【特許文献１】特開２００４−１７８１８７号公報
【特許文献２】特開２０１６−１５７１４号公報
【発明の概要】
【発明が解決しようとする課題】
【０００４】
しかしながら、従来のテレビと他の機器とを連携させる場合には、例えば、複数の機器を連携する際に設定画面を読み出したり、事前に利用者登録を行う必要があったりと、連携させるための処理が煩雑になる場合があった。そのため、利用者が煩雑な処理を行わずに好適に機器を連携させる技術が求められている。
【０００５】
本発明は、上記問題を解決すべくなされたもので、その目的は、利用者に機器の連携を意識させずに好適に機器を連携させることができるサーバ装置、機器連携システム、機器連携方法を提供することにある。
【課題を解決するための手段】
【０００６】
上記問題を解決するために、本発明の一態様は、受像機器が接続された場合に、前記受像機器を識別する第１識別子を要求する識別子要求を前記受像機器に送信する識別子要求部と、前記識別子要求部による識別子要求に応じて前記受像機器から得られた前記第１識別子と、自装置を識別する第２識別子とを対応付けた機器接続情報を、サーバ装置に送信する連携登録部とを備えることを特徴とする映像受信装置である。
【０００７】
また、本発明の一態様は、受像機器を識別する第１識別子と、前記受像機器に接続されている機器を識別する第２識別子とを対応付けた機器接続情報を記憶する接続情報記憶部と、問合せ対象の機器を識別する対象識別子を含み、前記機器の連携を問合せる連携問合せ要求に応じて、前記第１識別子と前記第２識別子とのいずれか一方の識別子であって、前記対象識別子に対応付けられている識別子を連携識別子として前記接続情報記憶部から抽出し、当該連携識別子を前記連携問合せ要求の要求元に送信する識別子応答部とを備えることを特徴とするサーバ装置である。
【０００８】
また、本発明の一態様は、連携機器を識別する連携識別子と、前記連携機器に関連する関連情報とを対応付けて記憶する関連情報記憶部と、問合せ対象の機器を識別する対象識別子を含む情報問合せ要求に応じて、受像機器を識別する第１識別子と、前記受像機器に接続されている機器を識別する第２識別子とを対応付けた機器接続情報を記憶する接続情報記憶部を備える管理装置に、前記対象識別子を含み、機器の連携を問合せる連携問合せ要求を送信する連携問合要求部と、前記連携問合要求部によって送信された前記連携問合せ要求に応じて、前記接続情報記憶部から抽出された、前記第１識別子と前記第２識別子とのいずれか一方の識別子であって、前記対象識別子に対応付けられている識別子を連携識別子として前記管理装置から取得する識別子取得部と、前記識別子取得部によって取得した前記連携識別子に対応付けられている前記関連情報を、前記関連情報記憶部から取得し、当該関連情報を前記情報問合せ要求の要求元に送信する情報応答部とを備えることを特徴とするサーバ装置である。
【０００９】
また、本発明の一態様は、受像機器を識別する第１識別子と、前記受像機器に接続されている機器を識別する第２識別子とを対応付けた機器接続情報を記憶する接続情報記憶部と、連携機器を識別する連携識別子と、前記連携機器に関連する関連情報とを対応付けて記憶する関連情報記憶部と、問合せ対象の機器を識別する対象識別子を含む情報問合せ要求に応じて、前記第１識別子と前記第２識別子とのいずれか一方の識別子であって、前記対象識別子に対応付けられている識別子を前記連携識別子として前記接続情報記憶部から抽出する識別子抽出部と、前記識別子抽出部によって抽出された前記連携識別子に対応付けられている前記関連情報を、前記関連情報記憶部から取得し、当該関連情報を前記情報問合せ要求の要求元に送信する情報応答部とを備えることを特徴とするサーバ装置である。
【００１０】
また、本発明の一態様は、映像受信装置が接続された場合に、前記映像受信装置を識別する第１識別子を要求する識別子要求を前記映像受信装置に送信する識別子要求部と、前記識別子要求部による識別子要求に応じて前記映像受信装置から得られた前記第１識別子と、自装置を識別する第２識別子とを対応付けた機器接続情報を、サーバ装置に送信する連携登録部とを備えることを特徴とする受像機器である。
【００１１】
また、本発明の一態様は、映像受信装置と、少なくとも１つ以上のサーバ装置とを備え、前記映像受信装置は、受像機器が接続された場合に、前記受像機器を識別する第１識別子を要求する識別子要求を前記受像機器に送信する識別子要求部と、前記識別子要求部による識別子要求に応じて前記受像機器から得られた前記第１識別子と、前記映像受信装置を識別する第２識別子とを対応付けた機器接続情報を、前記サーバ装置に送信する連携登録部とを備え、少なくとも１つ以上の前記サーバ装置は、前記機器接続情報を記憶する接続情報記憶部と、連携機器を識別する連携識別子と、前記連携機器に関連する関連情報とを対応付けて記憶する関連情報記憶部と、問合せ対象の機器を識別する対象識別子を含む情報問合せ要求に応じて、前記第１識別子と前記第２識別子とのいずれか一方の識別子であって、前記対象識別子に対応付けられている識別子を前記連携識別子として前記接続情報記憶部から抽出する識別子抽出部と、前記識別子抽出部によって抽出された前記連携識別子に対応付けられている前記関連情報を、前記関連情報記憶部から取得し、当該関連情報を前記情報問合せ要求の要求元に送信する情報応答部とを備えることを特徴とする機器連携システムである。
【００１２】
また、本発明の一態様は、受像機器を識別する第１識別子と、前記受像機器に接続されている機器を識別する第２識別子とを対応付けた機器接続情報を記憶する接続情報記憶部を備えるサーバ装置による機器連携方法であって、問合せ対象の機器を識別する対象識別子を含み、前記機器の連携を問合せる連携問合せ要求に応じて、前記第１識別子と前記第２識別子とのいずれか一方の識別子であって、前記対象識別子に対応付けられている識別子を連携識別子として前記接続情報記憶部から抽出し、当該連携識別子を前記連携問合せ要求の要求元に送信する識別子応答ステップを含むことを特徴とする機器連携方法である。
【００１３】
また、本発明の一態様は、連携機器を識別する連携識別子と、前記連携機器に関連する関連情報とを対応付けて記憶する関連情報記憶部を備えるサーバ装置による機器連携方法であって、問合せ対象の機器を識別する対象識別子を含む情報問合せ要求に応じて、受像機器を識別する第１識別子と、前記受像機器に接続されている機器を識別する第２識別子とを対応付けた機器接続情報を記憶する接続情報記憶部を備える管理装置に、前記対象識別子を含み、機器の連携を問合せる連携問合せ要求を送信する連携問合要求ステップと、前記連携問合要求ステップによって送信された前記連携問合せ要求に応じて、前記接続情報記憶部から抽出された、前記第１識別子と前記第２識別子とのいずれか一方の識別子であって、前記対象識別子に対応付けられている識別子を連携識別子として前記管理装置から取得する識別子取得ステップと、前記識別子取得ステップによって取得した前記連携識別子に対応付けられている前記関連情報を、前記関連情報記憶部から取得し、当該関連情報を前記情報問合せ要求の要求元に送信する情報応答ステップとを含むことを特徴とする機器連携方法である。
【００１４】
また、本発明の一態様は、受像機器を識別する第１識別子と、前記受像機器に接続されている機器を識別する第２識別子とを対応付けた機器接続情報を記憶する接続情報記憶部と、連携機器を識別する連携識別子と、前記連携機器に関連する関連情報とを対応付けて記憶する関連情報記憶部とを備えるサーバ装置による機器連携方法であって、問合せ対象の機器を識別する対象識別子を含む情報問合せ要求に応じて、前記第１識別子と前記第２識別子とのいずれか一方の識別子であって、前記対象識別子に対応付けられている識別子を前記連携識別子として前記接続情報記憶部から抽出する識別子抽出ステップと、前記識別子抽出ステップによって抽出された前記連携識別子に対応付けられている前記関連情報を、前記関連情報記憶部から取得し、当該関連情報を前記情報問合せ要求の要求元に送信する情報応答ステップとを含むことを特徴とする機器連携方法である。
【００１５】
また、本発明の一態様は、コンピュータに、受像機器が接続された場合に、前記受像機器を識別する第１識別子を要求する識別子要求を前記受像機器に送信する識別子要求ステップと、前記識別子要求ステップによる識別子要求に応じて前記受像機器から得られた前記第１識別子と、自装置を識別する第２識別子とを対応付けた機器接続情報を、サーバ装置に送信する連携登録ステップとを実行させるためのプログラムである。
【発明の効果】
【００１６】
本発明によれば、利用者に機器の連携を意識させずに好適に機器を連携させることができる。
【図面の簡単な説明】
【００１７】
【図１】第１の実施形態による機器連携システムの一例を示す機能ブロック図である。
【図２】第１の実施形態における機器ＩＤ記憶部のデータ例を示す図である。
【図３】第１の実施形態における接続情報記憶部のデータ例を示す図である。
【図４】第１の実施形態における利用情報記憶部のデータ例を示す図である。
【図５】第１の実施形態における機器ＩＤの発行処理の一例を示すフローチャートである。
【図６】第１の実施形態における機器接続情報の登録処理の一例を示すフローチャートである。
【図７】第１の実施形態における利用情報の収集処理の一例を示すフローチャートである。
【図８】第１の実施形態における利用情報の問合せ処理、及びサービスの提供処理の一例を示すフローチャートである。
【図９】第１の実施形態における連携するテレビの機器ＩＤの抽出処理の一例を示すフローチャートである。
【図１０】第１の実施形態における連携するテレビの利用情報の取得処理の一例を示すフローチャートである。
【図１１】第２の実施形態による機器連携システムの一例を示す機能ブロック図である。
【図１２】第２の実施形態におけるユーザ情報記憶部のデータ例を示す図である。
【図１３】第２の実施形態におけるＳＴＢのユーザの登録処理の一例を示すフローチャートである。
【図１４】第２の実施形態におけるユーザ情報の問合せ処理、及びサービスの提供処理の一例を示すフローチャートである。
【図１５】第２の実施形態における連携するＳＴＢの機器ＩＤの抽出処理の一例を示すフローチャートである。
【図１６】第２の実施形態における連携するＳＴＢのユーザ情報の取得処理の一例を示すフローチャートである。
【発明を実施するための形態】
【００１８】
以下、本発明の実施形態による映像受信装置、サーバ装置、機器連携システムについて図面を参照して説明する。
【００１９】
［第１の実施形態］
図１は、第１の実施形態による機器連携システム１００の一例を示す機能ブロック図である。
図１に示すように、機器連携システム１００は、ＳＴＢ（Ｓｅｔ  Ｔｏｐ  Ｂｏｘ）１と、テレビ２と、機器ＩＤ管理サーバ３と、情報収集サーバ４と、サービス提供サーバ５とを備えている。なお、ＳＴＢ１と、テレビ２と、機器ＩＤ管理サーバ３と、情報収集サーバ４と、サービス提供サーバ５とは、ネットワークＮＷ１を介して互いに接続可能である。
【００２０】
本実施形態では、ＳＴＢ１とテレビ２とが連携され、ＳＴＢ１が、サービス提供サーバ５からテレビ２の利用情報に基づいたサービスの提供を受ける場合の一例について説明する。
なお、図１に示す例では、説明の便宜上、機器連携システム１００は、一組のＳＴＢ１とテレビ２とを備える一例を説明するが、ＳＴＢ１とテレビ２とを複数組備えていてもよい。また、機器連携システム１００は、同様に、複数のサービス提供サーバ５を備えていてもよい。
【００２１】
ＳＴＢ１（映像受信装置の一例）は、例えば、テレビ２にＨＤＭＩ（Ｈｉｇｈ  Ｄｅｆｉｎｉｔｉｏｎ  Ｍｕｌｔｉｍｅｄｉａ  Ｉｎｔｅｒｆａｃｅ、登録商標）により接続され、各種ネットワークサービスが提供される機器である。ＳＴＢ１は、例えば、ケーブルテレビなどの映像を受信し、ＨＤＭＩを介してテレビ２に配信する。また、ＳＴＢ１は、ＨＤＭＩを介して、テレビ２との間で制御信号の通信を行う。ここで、ＨＤＭＩは、テレビ２に映像信号を配信するとともに、制御信号を双方向に通信可能なインターフェースの一例である。ここで、制御信号を双方向に通信可能な機能は、例えば、ＨＤＭＩ-ＣＥＣ（Ｃｏｎｓｕｍｅｒ Ｅｌｅｃｔｒｏｎｉｃｓ Ｃｏｎｔｒｏｌ）規格に基づく機能である。また、ＳＴＢ１は、ＮＷ（ネットワーク）通信部１１と、機器通信部１２と、操作部１３と、映像受信部１４と、ＳＴＢ記憶部１５と、ＳＴＢ制御部１６とを備えている。
【００２２】
ＮＷ通信部１１は、例えば、有線ＬＡＮ（Ｌｏｃａｌ  Ａｒｅａ  Ｎｅｔｗｏｒｋ）通信、又は無線ＬＡＮ通信などを利用してネットワークＮＷ１に接続し、ネットワークＮＷ１を介して各種通信を行う。ＮＷ通信部１１は、例えば、ネットワークＮＷ１を介して、機器ＩＤ管理サーバ３やサービス提供サーバ５などのサーバ装置に接続し、各種通信を行う。
【００２３】
機器通信部１２は、例えば、ＨＤＭＩによる通信部であり、例えば、テレビ２と接続され、テレビ２に映像信号を配信するとともに、テレビ２との間で制御信号を双方向に通信する。
操作部１３は、例えば、操作スイッチや、リモートコントローラ（リモコン）などにより各種操作を受け付ける。
映像受信部１４は、例えば、ケーブルテレビなどの受信信号から映像を再生し、機器通信部１２を介してテレビ２に映像を配信する。
【００２４】
ＳＴＢ記憶部１５は、ＳＴＢ１が実行する処理に利用する各種情報を記憶する。ＳＴＢ記憶部１５は、例えば、映像の受信及びテレビ２への映像の配信などの処理に利用される情報やサービス提供サーバ５から供給されるサービス情報などを記憶する。また、ＳＴＢ記憶部１５は、ＩＤ記憶部１５１を備えている。
ＩＤ記憶部１５１は、例えば、ＳＴＢ１（自装置）の機器ＩＤ（機器識別子）を記憶する。
【００２５】
ＳＴＢ制御部１６は、例えば、ＣＰＵ（Central Processing Unit）などを含むプロセッサであり、ＳＴＢ１を統括的に制御する。ＳＴＢ制御部１６は、例えば、映像の受信及びテレビ２への映像の配信などの処理を実行する。また、ＳＴＢ制御部１６は、例えば、ＳＴＢ１とテレビ２とが接続された場合に、テレビ２の機器ＩＤ（第１識別子）を取得し、取得したテレビ２の機器ＩＤと自装置（ＳＴＢ１）の機器ＩＤ（第２識別子）とを対応付けた機器接続情報を機器ＩＤ管理サーバ３に送信する処理を実行する。ここで、テレビ２の機器ＩＤは、テレビ２を識別する機器ＩＤ（機器識別子）であり、ＳＴＢ１の機器ＩＤは、自装置（ＳＴＢ１）を識別する機器ＩＤ（機器識別子）である。
また、ＳＴＢ制御部１６は、接続判定部１６１と、機器ＩＤ要求部１６２と、機器連携登録部１６３とを備えている。
【００２６】
接続判定部１６１は、テレビ２に映像信号を配信するとともに、制御信号を双方向に通信可能なＨＤＭＩによって、テレビ２と自装置（ＳＴＢ１）とが接続されたか否かを判定する。接続判定部１６１は、例えば、機器通信部１２によるテレビ２との接続の検出結果に基づいて、テレビ２と自装置（ＳＴＢ１）とが接続されたか否かを判定（検出）する。また、接続判定部１６１は、テレビ２と自装置（ＳＴＢ１）との接続が解除されたか否かを機器通信部１２によるテレビ２との接続の検出結果に基づいて判定する。
【００２７】
機器ＩＤ要求部１６２（識別子要求部の一例）は、テレビ２が接続された場合に、テレビ２の機器ＩＤを要求する機器ＩＤ要求（識別子要求）をテレビ２に送信する。すなわち、機器ＩＤ要求部１６２は、接続判定部１６１によってテレビ２とＳＴＢ１とが接続されたと判定された場合に、機器通信部１２を介して、機器ＩＤ要求を送信する。
【００２８】
機器連携登録部１６３（連携登録部の一例）は、機器ＩＤ要求部１６２による機器ＩＤ要求に応じてテレビ２から得られたテレビ２の機器ＩＤと、ＳＴＢ１の機器ＩＤとを対応付けた機器接続情報を、機器ＩＤ管理サーバ３に送信する。機器連携登録部１６３は、例えば、機器通信部１２を介して、テレビ２の機器ＩＤを取得し、取得したテレビ２の機器ＩＤと、ＩＤ記憶部１５１が記憶するＳＴＢ１の機器ＩＤとを対応付けて機器接続情報を生成する。機器連携登録部１６３は、生成した機器接続情報を含む電文を、ＮＷ通信部１１を介して機器ＩＤ管理サーバ３に送信する。
また、機器連携登録部１６３は、接続判定部１６１によってテレビ２とＳＴＢ１との接続が解除されたと判定された場合に、機器接続情報を無効にする接続無効要求を機器ＩＤ管理サーバ３に送信する。
【００２９】
テレビ２（受像機器の一例）は、例えば、ネットワークＮＷ１への接続機能を有し、テレビ２の利用情報（例えば、視聴しているテレビ番組、録画予約したテレビ番組、録画したテレビ番組、接続しているＨＤＤ（ハードディスクドライブ）情報など）を情報収集サーバ４に送信する。また、テレビ２は、ＳＴＢ１からの機器ＩＤ要求に応じてテレビ２の機器ＩＤをＳＴＢ１に送信する。
テレビ２は、ＮＷ通信部２１と、機器通信部２２と、操作部２３と、受像処理部２４と、表示部２５と、テレビ記憶部２６と、テレビ制御部２７とを備えている。
【００３０】
ＮＷ通信部２１は、例えば、有線ＬＡＮ（Ｌｏｃａｌ  Ａｒｅａ  Ｎｅｔｗｏｒｋ）通信、又は無線ＬＡＮ通信などを利用してネットワークＮＷ１に接続し、ネットワークＮＷ１を介して各種通信を行う。ＮＷ通信部２１は、例えば、ネットワークＮＷ１を介して、機器ＩＤ管理サーバ３、情報収集サーバ４、サービス提供サーバ５などのサーバ装置に接続し、各種通信を行う。
【００３１】
機器通信部２２は、例えば、ＨＤＭＩによる通信部であり、例えば、ＳＴＢ１と接続され、テレビ２から映像信号を受信するとともに、ＳＴＢ１との間で制御信号を双方向に通信する。
操作部２３は、例えば、操作スイッチや、リモコンなどにより各種操作を受け付ける。
受像処理部２４は、例えば、ＳＴＢ１から機器通信部２２を介して受信した映像信号を表示部２５に表示させる。
【００３２】
テレビ記憶部２６は、テレビ２が実行する処理に利用する各種情報を記憶する。テレビ記憶部２６は、例えば、上述した利用情報や、サービス提供サーバ５から供給されるサービス情報などを記憶する。また、テレビ記憶部２６は、ＩＤ記憶部２６１を備えている。
ＩＤ記憶部２６１は、例えば、テレビ２の機器ＩＤを記憶する。
【００３３】
テレビ制御部２７は、例えば、ＣＰＵなどを含むプロセッサであり、ＳＴＢ１を統括的に制御する。テレビ制御部２７は、例えば、利用情報を情報収集サーバ４に送信する処理、サービス提供サーバ５から各種サービス情報を取得し、取得したサービス情報を表示部２５に表示させる処理などを実行する。また、テレビ制御部２７は、例えば、ＳＴＢ１とテレビ２とが接続された場合に、機器通信部１２を介して、ＳＴＢ１から受信した機器ＩＤ要求に応じて、ＩＤ記憶部２６１が記憶するテレビ２の機器ＩＤを、機器通信部１２を介してＳＴＢ１に送信する。
【００３４】
機器ＩＤ管理サーバ３（サーバ装置の一例）は、機器（例えば、ＳＴＢ１、テレビ２など）の接続を管理する管理装置である。機器ＩＤ管理サーバ３は、例えば、ネットワークＮＷ１を介して、ＳＴＢ１及びテレビ２に機器ＩＤを発行する。また、機器ＩＤ管理サーバ３は、ネットワークＮＷ１を介して、ＳＴＢ１から機器接続情報を受信した場合に、当該機器接続情報を記憶（登録）する。また、機器ＩＤ管理サーバ３は、ネットワークＮＷ１を介して受信した連携問合せ要求に応じて、記憶されている機器接続情報のうちから、当該連携問合せ要求に含まれる機器ＩＤと対応付けられている機器ＩＤを、連携問合せ要求の要求元（例えば、情報収集サーバ４）に送信する。
また、機器ＩＤ管理サーバ３は、ＮＷ通信部３１と、記憶部３２と、制御部３３とを備えている。
【００３５】
ＮＷ通信部３１は、ＬＡＮ通信などを利用してネットワークＮＷ１に接続し、ネットワークＮＷ１を介して各種通信を行う。ＮＷ通信部３１は、例えば、ネットワークＮＷ１を介して、ＳＴＢ１やテレビ２などの機器、及びサービス提供サーバ５などのサーバ装置に接続し、各種通信を行う。
【００３６】
記憶部３２は、機器ＩＤ管理サーバ３が実行する処理に利用する各種情報を記憶する。記憶部３２は、例えば、登録された機器ＩＤや、上述した機器接続情報などを記憶する。また、記憶部３２は、機器ＩＤ記憶部３２１と、接続情報記憶部３２２とを備えている。
【００３７】
機器ＩＤ記憶部３２１は、ＳＴＢ１、テレビ２などの機器ＩＤを記憶する。機器ＩＤ記憶部３２１は、例えば、図２に示すように、機器ＩＤと当該機器ＩＤの発行先を示す情報とを対応付けて記憶する。
図２は、本実施形態における機器ＩＤ記憶部３２１のデータ例を示す図である。
図２に示すように、機器ＩＤ記憶部３２１は、「機器ＩＤ」と、「機器ＩＤ発行先」とを対応付けて記憶する。ここで、「機器ＩＤ発行先」は、機器ＩＤの発行先を示す情報である。
【００３８】
図２に示す例では、「機器ＩＤ」が“ＡＡＡＡＡＡＡＡ”である機器ＩＤに対応する「機器ＩＤ発行先」が、“テレビ”であることを示している。また、「機器ＩＤ」が“ＳＳＳＳＳＳＳＳ”である機器ＩＤに対応する「機器ＩＤ発行先」が、“ＳＴＢ”であることを示している。
【００３９】
図１に戻り、接続情報記憶部３２２は、連携させる機器ＩＤ（接続されている機器ＩＤ）を対応付けた機器接続情報を記憶する。接続情報記憶部３２２は、例えば、図３に示すように、ＳＴＢ１の機器ＩＤと、テレビ２の機器ＩＤとを対応付けて記憶する。
図３は、本実施形態における接続情報記憶部３２２のデータ例を示す図である。
図３に示すように、接続情報記憶部３２２は、「ＳＴＢの機器ＩＤ」と、「テレビ２の機器ＩＤ」とを対応付けて機器接続情報として記憶する。
【００４０】
図３に示す例では、「ＳＴＢの機器ＩＤ」が“ＳＳＳＳＳＳＳＳ”に対応する「テレビの機器ＩＤ」が“ＡＡＡＡＡＡＡＡ”であることを示している。また、「ＳＴＢの機器ＩＤ」が“ＴＴＴＴＴＴＴＴ”に対応する「テレビの機器ＩＤ」が“ＢＢＢＢＢＢＢＢ”であることを示している。
【００４１】
再び図１に戻り、制御部３３は、例えば、ＣＰＵなどを含むプロセッサであり、機器ＩＤ管理サーバ３を統括的に制御する。制御部３３は、例えば、各機器に対して、機器ＩＤを発行する処理を実行する。また、制御部３３は、ＳＴＢ１から機器接続情報を受信した場合に、当該機器接続情報を接続情報記憶部３２２に記憶させる。また、制御部３３は、連携問合せ要求に応じて、接続情報記憶部３２２に記憶されている機器接続情報のうちから、当該連携問合せ要求に含まれる機器ＩＤと対応付けられている機器ＩＤを、連携問合せ要求の要求元（例えば、情報収集サーバ４）に送信する。
また、制御部３３は、機器ＩＤ生成部３３１と、機器連携受付部３３２と、機器ＩＤ応答部３３３とを備えている。
【００４２】
機器ＩＤ生成部３３１は、ＳＴＢ１及びテレビ２などの機器からＮＷ通信部３１を介して受信した機器ＩＤの発行要求に応じて、機器ＩＤを生成し、図２に示すように、当該機器ＩＤと、当該機器ＩＤの発行先を示す情報とを対応付けて、機器ＩＤ記憶部３２１に記憶させる。また、機器ＩＤ生成部３３１は、生成した機器ＩＤを発行要求の要求元の機器に、ＮＷ通信部３１を介して送信する。
【００４３】
機器連携受付部３３２は、ＮＷ通信部３１を介して受信した機器接続情報を受け付けて、接続情報記憶部３２２に記憶させる。すなわち、機器連携受付部３３２は、図３に示すように、「ＳＴＢの機器ＩＤ」と、「テレビ２の機器ＩＤ」とを対応付けた機器接続情報を接続情報記憶部３２２に記憶させる。
また、機器連携受付部３３２は、ＮＷ通信部３１を介して受信した機器接続情報を無効にする接続無効要求に応じて、接続情報記憶部３２２が記憶する機器接続情報を無効にする。例えば、機器連携受付部３３２は、接続無効要求に含まれる機器ＩＤの組に対応する機器接続情報を、例えば、接続情報記憶部３２２から削除する、又は無効にする情報（例えば、無効フラグ情報など）を付加する。
【００４４】
機器ＩＤ応答部３３３（識別子応答部の一例）は、ＮＷ通信部３１を介して受信した連携問合せ要求に応じて、テレビ２の機器ＩＤとＳＴＢ１の機器ＩＤとのいずれか一方の機器ＩＤであって、対象機器ＩＤに対応付けられている機器ＩＤを連携機器ＩＤ（連携識別子）として接続情報記憶部３２２から抽出し、当該連携機器ＩＤを連携問合せ要求の要求元に送信する。ここで、連携問合せ要求は、問合せ対象の機器を識別する対象機器ＩＤを含み、機器の連携を問合せる要求である。機器ＩＤ応答部３３３は、例えば、接続情報記憶部３２２が記憶する機器接続情報のうちから、対象機器ＩＤに対応付けられている機器ＩＤを連携機器ＩＤとして、ＮＷ通信部３１を介して連携問合せ要求の要求元に送信する。
【００４５】
例えば、情報収集サーバ４からＮＷ通信部３１を介して、ＳＴＢ１の機器ＩＤ（例えば、“ＳＳＳＳＳＳＳＳ”）を含む連携問合せ要求を受信した場合、機器ＩＤ応答部３３３は、以下の処理を実行する。機器ＩＤ応答部３３３は、接続情報記憶部３２２から対象機器ＩＤであるＳＴＢ１の機器ＩＤ（例えば、“ＳＳＳＳＳＳＳＳ”）に対応付けられているテレビ２の機器ＩＤ（例えば、図３に示す“ＡＡＡＡＡＡＡＡ”）を抽出する。そして、機器ＩＤ応答部３３３は、抽出したテレビ２の機器ＩＤ（例えば、“ＡＡＡＡＡＡＡＡ”）を連携機器ＩＤとして、ＮＷ通信部３１を介して情報収集サーバ４に送信する。すなわち、機器ＩＤ応答部３３３は、対象機器ＩＤと一致するＳＴＢ１の機器ＩＤが接続情報記憶部３２２に記憶されている場合に、対象機器ＩＤと一致するＳＴＢ１の機器ＩＤに対応付けられているテレビ２の機器ＩＤを連携機器ＩＤとして連携問合せ要求の要求元に送信する。
【００４６】
情報収集サーバ４（サーバ装置の一例）は、ネットワークＮＷ１を介して、テレビ２の利用情報を収集する。また、情報収集サーバ４は、ネットワークＮＷ１を介してサービス提供サーバ５から受信した情報問合せ要求に応じて、連携問合せ要求を機器ＩＤ管理サーバ３に送信する。また、情報収集サーバ４は、ネットワークＮＷ１を介して機器ＩＤ管理サーバ３から受信した連携機器ＩＤに対応するテレビ２の利用情報を、サービス提供サーバ５に送信する。
また、情報収集サーバ４は、ＮＷ通信部４１と、記憶部４２と、制御部４３とを備えている。
【００４７】
ＮＷ通信部４１は、ＬＡＮ通信などを利用してネットワークＮＷ１に接続し、ネットワークＮＷ１を介して各種通信を行う。ＮＷ通信部４１は、例えば、ネットワークＮＷ１を介して、テレビ２などの機器と、機器ＩＤ管理サーバ３及びサービス提供サーバ５などのサーバ装置とに接続し、各種通信を行う。
【００４８】
記憶部４２は、情報収集サーバ４が実行する処理に利用する各種情報を記憶する。記憶部４２は、例えば、テレビ２の利用情報などを記憶する。また、記憶部４２は、利用情報記憶部４２１を備えている。
【００４９】
利用情報記憶部４２１（関連情報記憶部の一例）は、テレビ２の利用情報を記憶する。利用情報記憶部４２１は、例えば、図４に示すように、テレビ２の機器ＩＤと当該テレビ２の利用情報とを対応付けて記憶する。
図４は、本実施形態における利用情報記憶部４２１のデータ例を示す図である。
図４に示すように、利用情報記憶部４２１は、「テレビの機器ＩＤ」と、「テレビの利用情報」とを対応付けて記憶する。ここで、「テレビの利用情報」は、１つの情報である必要なく、複数の情報であってもよい。
【００５０】
図４に示す例では、「テレビの機器ＩＤ」が“ＡＡＡＡＡＡＡＡ”であるテレビ２に対応する「テレビの利用情報」が、“利用情報Ａ、利用情報Ｂ”であることを示している。また、「テレビの機器ＩＤ」が“ＢＢＢＢＢＢＢＢ”であるテレビ２に対応する「テレビの利用情報」が、“利用情報Ｃ”であることを示している。
このように、利用情報記憶部４２１は、連携機器（例えば、テレビ２）を識別する連携機器ＩＤと、連携機器（例えば、テレビ２）に関連する関連情報とを対応付けて記憶する。なお、本実施形態において、テレビ２の利用情報は、関連情報の一例である。
【００５１】
再び図１に戻り、制御部４３は、例えば、ＣＰＵなどを含むプロセッサであり、情報収集サーバ４を統括的に制御する。制御部４３は、テレビ２の利用情報を収集し、テレビ２の利用情報を利用情報記憶部４２１に記憶させる。また、制御部４３は、サービス提供サーバ５から受信した情報問合せ要求に応じて、連携問合せ要求を機器ＩＤ管理サーバ３に送信する。また、制御部４３は、機器ＩＤ管理サーバ３から受信した連携機器ＩＤに対応するテレビ２の利用情報を利用情報記憶部４２１から取得し、当該テレビ２の利用情報をサービス提供サーバ５に送信する。
また、制御部４３は、利用情報収集部４３１と、連携問合要求部４３２と、連携ＩＤ取得部４３３と、利用情報応答部４３４とを備えている。
【００５２】
利用情報収集部４３１は、ＮＷ通信部４１を介してテレビ２の利用情報を収集して、テレビ２の機器ＩＤと、利用情報とを対応付けて利用情報記憶部４２１に記憶させる。例えば、利用情報収集部４３１は、図４に示すように、「テレビの機器ＩＤ」と、「テレビの利用情報」とを対応付けて利用情報記憶部４２１に記憶させる。
【００５３】
連携問合要求部４３２は、対象機器ＩＤを含む情報問合せ要求に応じて、ＮＷ通信部４１を介して機器ＩＤ管理サーバ３（管理装置）に連携問合せ要求を送信する。ここで、連携問合せ要求には、対象機器ＩＤが含まれている。
連携ＩＤ取得部４３３（識別子取得部の一例）は、連携問合要求部４３２によって送信された連携問合せ要求に応じて、対象機器ＩＤに対応付けられている機器ＩＤを連携機器ＩＤとして、ＮＷ通信部４１を介して機器ＩＤ管理サーバ３から取得する。
【００５４】
利用情報応答部４３４（情報応答部の一例）は、連携ＩＤ取得部４３３によって取得した連携機器ＩＤに対応付けられている利用情報（関連情報）を、利用情報記憶部４２１から取得し、当該利用情報を情報問合せ要求の要求元に送信する。例えば、連携ＩＤ取得部４３３が、連携機器ＩＤとして機器ＩＤ“ＡＡＡＡＡＡＡＡ”を取得した場合、利用情報応答部４３４は、利用情報記憶部４２１から図４に示す“利用情報Ａ”及び“利用情報Ｂ”を取得する。そして、利用情報応答部４３４は、情報問合せ要求の要求元であるサービス提供サーバ５に、ＮＷ通信部４１を介して“利用情報Ａ”及び“利用情報Ｂ”を含む電文を送信する。
【００５５】
サービス提供サーバ５は、各種サービスを提供するサーバ装置である。サービス提供サーバ５は、例えば、ＳＴＢ１にテレビ２の利用情報に基づくサービスを提供する。サービス提供サーバ５は、ＮＷ通信部５１と、記憶部５２と、制御部５３とを備えている。
【００５６】
ＮＷ通信部５１は、ＬＡＮ通信などを利用してネットワークＮＷ１に接続し、ネットワークＮＷ１を介して各種通信を行う。ＮＷ通信部５１は、例えば、ネットワークＮＷ１を介して、ＳＴＢ１などの機器、及び情報収集サーバ４などのサーバ装置に接続し、各種通信を行う。
記憶部５２は、サービス提供サーバ５が実行する処理に利用する各種情報を記憶する。記憶部５２は、例えば、情報収集サーバ４から取得したテレビ２の利用情報や、ＳＴＢ１に提供するサービス情報などを記憶する。
【００５７】
制御部５３は、例えば、ＣＰＵなどを含むプロセッサであり、情報収集サーバ４を統括的に制御する。制御部５３は、例えば、ＳＴＢ１に連携（接続）されているテレビ２の利用情報を、情報収集サーバ４から取得し、当該利用情報に基づくサービスを提供する。制御部５３は、サービス提供部５３１を備えている。
サービス提供部５３１は、ＮＷ通信部５１を介して情報収集サーバ４に、ＳＴＢ１の機器ＩＤを含む情報問合せ要求を送信する。また、サービス提供部５３１は、ＮＷ通信部５１を介して情報収集サーバ４から、ＳＴＢ１に連携（接続）されているテレビ２の利用情報を取得する。そして、サービス提供部５３１は、取得した利用情報に基づいて、ＳＴＢ１にサービスを提供する。例えば、サービス提供部５３１は、視聴しているテレビ番組、録画しているテレビ番組などからテレビ２及びＳＴＢ１の利用者の趣向を推定し、推定した趣向に基づいて、例えば、お勧め商品などを紹介する情報提供サービスをＳＴＢ１に対して行う。
【００５８】
次に、図面を参照して、本実施形態による機器連携システム１００の動作について説明する。まず、図５を参照して、ＳＴＢ１及びテレビ２の機器ＩＤの発行処理について説明する。
図５は、本実施形態における機器ＩＤの発行処理の一例を示すフローチャートである。
図５において、まず、ＳＴＢ１の機器ＩＤの発行処理について説明する。ＳＴＢ１は、まず、機器ＩＤ発行要求を機器ＩＤ管理サーバ３に送信する（ステップＳ１０１）。すなわち、ＳＴＢ１のＳＴＢ制御部１６は、ＮＷ通信部１１を介して、機器ＩＤ発行要求を機器ＩＤ管理サーバ３に送信する。ここで、機器ＩＤ発行要求には、要求元（機器）がＳＴＢ１であることを示す情報を含むものとする。
【００５９】
次に、機器ＩＤ管理サーバ３は、新規機器ＩＤを生成する（ステップＳ１０２）。機器ＩＤ管理サーバ３の機器ＩＤ生成部３３１は、ＮＷ通信部３１を介して受信した機器ＩＤ発行要求に応じて、ＳＴＢ１の機器ＩＤを新規に生成する。
【００６０】
次に、機器ＩＤ生成部３３１は、機器ＩＤを機器ＩＤ記憶部３２１に記憶させる（ステップＳ１０３）。機器ＩＤ生成部３３１は、生成したＳＴＢ１の機器ＩＤと、機器ＩＤの発行先を示す情報とを対応付けて、図２に示すように、機器ＩＤ記憶部３２１に記憶させる。なお、機器ＩＤ生成部３３１は、機器ＩＤ発行要求に含まれる機器がＳＴＢ１であることを示す情報に基づいて、機器ＩＤの発行先を示す情報を生成する。
【００６１】
次に、機器ＩＤ生成部３３１は、新規機器ＩＤ応答を、ＳＴＢ１に送信する（ステップＳ１０４）。機器ＩＤ生成部３３１は、生成したＳＴＢ１の機器ＩＤを含む新規機器ＩＤ応答を、ＮＷ通信部３１を介して、機器ＩＤ発行要求の要求元であるＳＴＢ１に送信する。
【００６２】
次に、ＳＴＢ１のＳＴＢ制御部１６は、ＳＴＢ１の機器ＩＤをＩＤ記憶部１５１に記憶させる（ステップＳ１０５）。すなわち、ＳＴＢ制御部１６は、ＮＷ通信部１１を介して受信した新規機器ＩＤを、ＩＤ記憶部１５１に記憶させる。
【００６３】
次に、テレビ２の機器ＩＤの発行処理について説明する。テレビ２は、まず、機器ＩＤ発行要求を機器ＩＤ管理サーバ３に送信する（ステップＳ１０６）。すなわち、テレビ２のテレビ制御部２７は、ＮＷ通信部２１を介して、機器ＩＤ発行要求を機器ＩＤ管理サーバ３に送信する。ここで、機器ＩＤ発行要求には、要求元（機器）がテレビ２であることを示す情報を含むものとする。
【００６４】
次に、機器ＩＤ管理サーバ３は、新規機器ＩＤを生成する（ステップＳ１０７）。機器ＩＤ管理サーバ３の機器ＩＤ生成部３３１は、ＮＷ通信部３１を介して受信した機器ＩＤ発行要求に応じて、テレビ２の機器ＩＤを新規に生成する。
【００６５】
次に、機器ＩＤ生成部３３１は、機器ＩＤを機器ＩＤ記憶部３２１に記憶させる（ステップＳ１０８）。機器ＩＤ生成部３３１は、生成したテレビ２の機器ＩＤと、機器ＩＤの発行先を示す情報とを対応付けて、図２に示すように、機器ＩＤ記憶部３２１に記憶させる。なお、機器ＩＤ生成部３３１は、機器ＩＤ発行要求に含まれる機器がテレビ２であることを示す情報に基づいて、機器ＩＤの発行先を示す情報を生成する。
【００６６】
次に、機器ＩＤ生成部３３１は、新規機器ＩＤ応答を、テレビ２に送信する（ステップＳ１０９）。機器ＩＤ生成部３３１は、生成したテレビ２の機器ＩＤを含む新規機器ＩＤ応答を、ＮＷ通信部３１を介して、機器ＩＤ発行要求の要求元であるテレビ２に送信する。
【００６７】
次に、テレビ２のテレビ制御部２７は、テレビ２の機器ＩＤをＩＤ記憶部２６１に記憶させる（ステップＳ１１０）。すなわち、テレビ制御部２７は、ＮＷ通信部２１を介して受信した新規機器ＩＤを、ＩＤ記憶部２６１に記憶させる。
【００６８】
次に、図６を参照して、本実施形態における機器接続情報の登録処理について説明する。
図６は、本実施形態における機器接続情報の登録処理の一例を示すフローチャートである。
図６に示すように、まず、ＳＴＢ１は、テレビ２との接続を検知する（ステップＳ２０１）。ＳＴＢ１の接続判定部１６１は、機器通信部１２による検出結果に基づいて、例えば、ＨＤＭＩによりテレビ２が接続されたことを検出する。
【００６９】
次に、ＳＴＢ１の機器ＩＤ要求部１６２は、テレビ２の機器ＩＤを要求する機器ＩＤ要求をテレビ２に送信する（ステップＳ２０２）。機器ＩＤ要求部１６２は、例えば、機器通信部１２を介して、機器ＩＤ要求をテレビ２に送信する。
【００７０】
次に、テレビ２のテレビ制御部２７は、機器ＩＤ要求に応じて、テレビ２の機器ＩＤを、ＳＴＢ１に送信する（ステップＳ２０３）。テレビ制御部２７は、ＩＤ記憶部２６１が記憶するテレビ２の機器ＩＤを、機器通信部２２を介してＳＴＢ１に送信する。
【００７１】
次に、ＳＴＢ１の機器連携登録部１６３は、機器接続情報を機器ＩＤ管理サーバ３に送信する（ステップＳ２０４）。機器連携登録部１６３は、例えば、機器通信部１２を介してテレビ２から受信したテレビ２の機器ＩＤと、ＩＤ記憶部１５１が記憶するＳＴＢ１の機器ＩＤとを対応付けて機器接続情報として、ＮＷ通信部１１を介して機器ＩＤ管理サーバ３に送信する。
【００７２】
次に、機器ＩＤ管理サーバ３の機器連携受付部３３２は、受信した機器接続情報を接続情報記憶部３２２に記憶させる（ステップＳ２０５）。機器連携受付部３３２は、ＮＷ通信部３１を介して機器接続情報をＳＴＢ１から受信し、受信した機器接続情報を、例えば、図３に示すように、接続情報記憶部３２２に記憶させる。
【００７３】
次に、図７を参照して、本実施形態における利用情報の収集処理について説明する。
図７は、本実施形態における利用情報の収集処理の一例を示すフローチャートである。
図７に示すように、まず、テレビ２のテレビ制御部２７は、利用情報を収集する（ステップＳ３０１）。すなわち、テレビ制御部２７は、例えば、定期的に、テレビ２の利用情報を収集して、当該利用情報をテレビ記憶部２６に記憶させる。
【００７４】
次に、テレビ制御部２７は、利用情報とテレビ２の機器ＩＤとを、情報収集サーバ４に送信する（ステップＳ３０２）。テレビ制御部２７は、テレビ記憶部２６が記憶するテレビ２の利用情報と、ＩＤ記憶部２６１が記憶するテレビ２の機器ＩＤとを含む電文を生成し、生成した当該電文を、ＮＷ通信部２１を介して情報収集サーバ４に、例えば、定期的に送信する。
【００７５】
次に、情報収集サーバ４の利用情報収集部４３１は、利用情報と、テレビ２の機器ＩＤとを、利用情報記憶部４２１に記憶させる（ステップＳ３０３）。利用情報収集部４３１は、テレビ２の利用情報とテレビ２の機器ＩＤとを含む電文を、例えば、ＮＷ通信部４１を介してテレビ２から受信する。利用情報収集部４３１は、例えば、図４に示すように、受信したテレビ２の利用情報とテレビ２の機器ＩＤとを対応付けて利用情報記憶部４２１に記憶させる。
【００７６】
次に、図８を参照して、本実施形態における利用情報の問合せ処理、及びサービスの提供処理について説明する。
図８は、本実施形態における利用情報の問合せ処理、及びサービスの提供処理の一例を示すフローチャートである。
図８に示すように、まず、サービス提供サーバ５は、利用情報の問合せ要求を情報収集サーバ４に送信する（ステップＳ４０１）。サービス提供サーバ５のサービス提供部５３１は、サービスを提供するＳＴＢ１の機器ＩＤを含む情報問合せ要求を、ＮＷ通信部５１を介して情報収集サーバ４に送信する。
【００７７】
次に、情報収集サーバ４の連携問合要求部４３２は、連携問合せ要求を機器ＩＤ管理サーバ３に送信する（ステップＳ４０２）。すなわち、連携問合要求部４３２は、ＳＴＢ１の機器ＩＤ（対象機器ＩＤ）を含む情報問合せ要求に応じて、受信したＳＴＢ１の機器ＩＤを含む連携問合せ要求を、ＮＷ通信部４１を介して機器ＩＤ管理サーバ３に送信する。
【００７８】
次に、機器ＩＤ管理サーバ３の機器ＩＤ応答部３３３は、連携するテレビ２の機器ＩＤを抽出する（ステップＳ４０３）。機器ＩＤ応答部３３３は、例えば、ＮＷ通信部３１を介して受信した連携問合せ要求に応じて、連携問合せ要求に含まれるＳＴＢ１の機器ＩＤに対応するテレビ２の機器ＩＤを抽出する。すなわち、機器ＩＤ応答部３３３は、例えば、接続情報記憶部３２２が記憶する機器接続情報のうちから、受信したＳＴＢ１の機器ＩＤに対応付けられているテレビ２の機器ＩＤを抽出（取得）する。なお、ステップＳ４０３の処理の詳細については、図９を参照して後述する。
【００７９】
次に、機器ＩＤ応答部３３３は、連携問合せ応答を情報収集サーバ４に送信する（ステップＳ４０４）。機器ＩＤ応答部３３３は、接続情報記憶部３２２から抽出したテレビ２の機器ＩＤを含む連携問合せ応答を、ＮＷ通信部３１を介して連携問合せ要求の要求元である情報収集サーバ４に送信する。
【００８０】
次に、情報収集サーバ４の利用情報応答部４３４は、連携するテレビ２の機器ＩＤに対応する利用情報を取得する（ステップＳ４０５）。利用情報応答部４３４は、ＮＷ通信部４１を介して機器ＩＤ管理サーバ３から受信した連携問合せ応答に含まれるテレビ２の機器ＩＤに対応する利用情報を、利用情報記憶部４２１から取得する。なお、ステップＳ４０５の処理の詳細については、図１０を参照して後述する。
【００８１】
次に、利用情報応答部４３４は、テレビ２の利用情報を、サービス提供サーバ５に送信する（ステップＳ４０６）。利用情報応答部４３４は、利用情報記憶部４２１から取得したＳＴＢ１に接続（連携）されているテレビ２の利用情報を、ＮＷ通信部４１を介して情報問合せ要求の要求元であるサービス提供サーバ５に送信する。
【００８２】
次に、サービス提供サーバ５のサービス提供部５３１は、テレビ２の利用情報に基づくサービスをＳＴＢ１に提供する（ステップＳ４０７）。サービス提供部５３１は、例えば、ＮＷ通信部５１を介して、ＳＴＢ１に接続（連携）されているテレビ２の利用情報を受信し、受信したテレビ２の利用情報に基づいて、各種サービス情報を、例えば、ＮＷ通信部５１を介してＳＴＢ１に送信する。
【００８３】
次に、上述した図８のステップＳ４０３の処理について、図９を参照して説明する。
図９は、本実施形態における連携するテレビ２の機器ＩＤの抽出処理の一例を示すフローチャートである。
図９に示すように、機器ＩＤ応答部３３３は、まず、連携問合せ要求を受け付ける（ステップＳ４１１）。機器ＩＤ応答部３３３は、例えば、ＮＷ通信部３１を介して受信した連携問合せ要求を受け付ける。
【００８４】
次に、機器ＩＤ応答部３３３は、受け付けた連携問合せ要求に含まれる機器ＩＤが、ＳＴＢ１の機器ＩＤであるか否かを判定する（ステップＳ４１２）。機器ＩＤ応答部３３３は、例えば、連携問合せ要求に含まれる機器ＩＤと一致する機器ＩＤ記憶部３２１が記憶する機器ＩＤに対応する機器ＩＤの発行先が、ＳＴＢ１であるか否かを判定する。機器ＩＤ応答部３３３は、連携問合せ要求に含まれる機器ＩＤが、ＳＴＢ１の機器ＩＤである場合（ステップＳ４１２：ＹＥＳ）に、処理をステップＳ４１３に進める。また、機器ＩＤ応答部３３３は、連携問合せ要求に含まれる機器ＩＤが、ＳＴＢ１の機器ＩＤでない場合（ステップＳ４１２：ＮＯ）に、処理をステップＳ４１６に進める。
【００８５】
ステップＳ４１３において、機器ＩＤ応答部３３３は、ＳＴＢ１の機器ＩＤに対応するテレビ２の機器ＩＤがあるか否かを判定する。すなわち、機器ＩＤ応答部３３３は、接続情報記憶部３２２を参照して、連携問合せ要求に含まれるＳＴＢ１の機器ＩＤを含む機器接続情報があるか否かを判定する。機器ＩＤ応答部３３３は、ＳＴＢ１の機器ＩＤに対応するテレビ２の機器ＩＤがある場合（ステップＳ４１３：ＹＥＳ）に、処理をステップＳ４１４に進める。また、機器ＩＤ応答部３３３は、ＳＴＢ１の機器ＩＤに対応するテレビ２の機器ＩＤがない場合（ステップＳ４１３：ＮＯ）に、処理をステップＳ４１５に進める。
【００８６】
ステップＳ４１４において、機器ＩＤ応答部３３３は、ＳＴＢ１の機器ＩＤに対応するテレビ２の機器ＩＤを連携問合せ応答として、ＮＷ通信部３１に送信させ、処理を終了する。
また、ステップＳ４１５において、機器ＩＤ応答部３３３は、参照可能な機器ＩＤが
ない旨の応答を連携問合せ応答として、ＮＷ通信部３１に送信させ、処理を終了する。
また、ステップＳ４１６において、機器ＩＤ応答部３３３は、連携問合せ要求に含まれる機器ＩＤ（テレビ２の機器ＩＤ）を連携問合せ応答として、ＮＷ通信部３１に送信させ、処理を終了する。
【００８７】
次に、上述した図８のステップＳ４０５の処理について、図１０を参照して説明する。
図１０は、本実施形態における連携するテレビ２の利用情報の取得処理の一例を示すフローチャートである。
図１０に示すように、利用情報応答部４３４は、まず、機器ＩＤが得られたか否かを判定する（ステップＳ４２１）。利用情報応答部４３４は、例えば、ＮＷ通信部３１を介して受信した連携問合せ応答に機器ＩＤ（テレビ２の機器ＩＤ）が含まれているか否かを判定する。利用情報応答部４３４は、機器ＩＤが得られた場合（ステップＳ４２１：ＹＥＳ）に、処理をステップＳ４２２に進める。また、利用情報応答部４３４は、機器ＩＤが得られていない場合（ステップＳ４２１：ＮＯ）に、ＳＴＢ１に連携されているテレビ２がないと判定し、処理をステップＳ４２４に進める。
【００８８】
ステップＳ４２２において、利用情報応答部４３４は、テレビ２の機器ＩＤに対応する利用情報があるか否かを判定する。すなわち、利用情報応答部４３４は、利用情報記憶部４２１を参照して、連携問合せ応答に含まれるテレビ２の機器ＩＤに対応する利用情報があるか否かを判定する。利用情報応答部４３４は、テレビ２の機器ＩＤに対応する利用情報がある場合（ステップＳ４２２：ＹＥＳ）に、処理をステップＳ４２３に進める。また、機器ＩＤ応答部３３３は、テレビ２の機器ＩＤに対応する利用情報がない場合（ステップＳ４２２：ＮＯ）に、処理をステップＳ４２４に進める。
【００８９】
ステップＳ４２３において、機器ＩＤ応答部３３３は、テレビ２の機器ＩＤに対応する利用情報をＮＷ通信部４１に送信させ、処理を終了する。
また、ステップＳ４２４において、機器ＩＤ応答部３３３は、テレビ２の利用情報がない旨の応答をＮＷ通信部４１に送信させ、処理を終了する。
【００９０】
以上説明したように、本実施形態によるＳＴＢ１（映像受信装置）は、機器ＩＤ要求部１６２（識別子要求部）と、機器連携登録部１６３（連携登録部）とを備えている。機器ＩＤ要求部１６２は、テレビ２（受像機器）が接続された場合に、テレビ２を識別するテレビ２の機器ＩＤ（第１識別子）を要求する機器ＩＤ要求（識別子要求）をテレビ２に送信する。機器連携登録部１６３は、機器ＩＤ要求部１６２による機器ＩＤ要求に応じてテレビ２から得られたテレビ２の機器ＩＤと、自装置を識別するＳＴＢ１の機器ＩＤ（第２識別子）とを対応付けた機器接続情報を、機器ＩＤ管理サーバ３（サーバ装置）に送信する。
【００９１】
これにより、本実施形態によるＳＴＢ１は、利用者に機器の連携を意識させずに好適に機器を連携させることができる。本実施形態によるＳＴＢ１では、例えば、利用者がＳＴＢ１とテレビ２との対応付けする操作（煩雑な連携設定の操作）を行う必要がなく、利用者がＳＴＢ１とテレビ２との連携を意識せずに、連携させることができる。また、本実施形態によるＳＴＢ１では、サービス提供サーバ５は、サービスを提供する提供先が、例えば、ＳＴＢ１（又はテレビ２）単体であるか、ＳＴＢ１とテレビ２とが連携されているのかを管理する必要がなく、シームレスによりサービスを提供することができる。よって、本実施形態によるＳＴＢ１は、好適に機器を連携させることができ、利便性を向上させることができる。
【００９２】
また、本実施形態によるＳＴＢ１は、テレビ２に映像信号を配信するとともに、制御信号を双方向に通信可能な所定のインターフェース（例えば、ＨＤＭＩ）によって、テレビ２と自装置（ＳＴＢ１）とが接続されたか否かを判定する接続判定部１６１を備えている。そして、機器ＩＤ要求部１６２は、接続判定部１６１によってテレビ２と自装置（ＳＴＢ１）とが接続されたと判定された場合に、機器ＩＤ要求を送信する。
これにより、本実施形態によるＳＴＢ１は、テレビ２と接続された場合に、利用者がＳＴＢ１とテレビ２との連携を意識せずに、連携させることができる。また、本実施形態によるＳＴＢ１は、定期的に機器接続情報を送信する必要がなく、機器やネットワークＮＷ１への付加を低減させつつ、ＳＴＢ１とテレビ２とを好適に連携させることができる。
【００９３】
また、本実施形態では、接続判定部１６１は、テレビ２と自装置との接続が解除されたことを判定する。そして、機器連携登録部１６３は、接続判定部１６１によってテレビ２と自装置との接続が解除されたと判定された場合に、機器接続情報を無効にする接続無効要求を機器ＩＤ管理サーバ３に送信する。
これにより、本実施形態によるＳＴＢ１は、利用者にＳＴＢ１とテレビ２との連携の解除を意識させずに、連携を解除させることができる。
【００９４】
また、本実施形態による機器ＩＤ管理サーバ３（サーバ装置）は、接続情報記憶部３２２と、機器ＩＤ応答部３３３（識別子応答部）とを備えている。接続情報記憶部３２２は、テレビ２を識別するテレビ２の機器ＩＤと、テレビ２に接続されている機器を識別するＳＴＢ１の機器ＩＤとを対応付けた機器接続情報を記憶する。機器ＩＤ応答部３３３は、問合せ対象の機器を識別する対象機器ＩＤ（対象識別子）を含み、機器の連携を問合せる連携問合せ要求に応じて、テレビ２の機器ＩＤとＳＴＢ１の機器ＩＤとのいずれか一方の識別子であって、対象機器ＩＤに対応付けられている識別子を連携機器ＩＤ（連携識別子）として接続情報記憶部３２２から抽出する。そして、機器ＩＤ応答部３３３は、当該連携機器ＩＤを連携問合せ要求の要求元（例えば、情報収集サーバ４）に送信する。
これにより、本実施形態による機器ＩＤ管理サーバ３は、上述したＳＴＢ１と同様に、利用者に機器の連携を意識させずに好適に機器を連携させることができ、利便性を向上させることができる。
【００９５】
また、本実施形態では、機器ＩＤ応答部３３３は、対象機器ＩＤと一致するＳＴＢ１の機器ＩＤが接続情報記憶部３２２に記憶されている場合に、対象機器ＩＤと一致するＳＴＢ１の機器ＩＤに対応付けられているテレビ２の機器ＩＤを連携機器ＩＤとして連携問合せ要求の要求元（例えば、情報収集サーバ４）に送信する。
これにより、本実施形態による機器ＩＤ管理サーバ３は、ＳＴＢ１に連携（接続）されているテレビ２の機器ＩＤを適切に連携問合せ要求の要求元（例えば、情報収集サーバ４）に提供することができる。
【００９６】
また、本実施形態による情報収集サーバ４（サーバ装置）は、利用情報記憶部４２１（関連情報記憶部）と、連携問合要求部４３２と、連携ＩＤ取得部４３３（識別子取得部）と、利用情報応答部４３４（情報応答部）とを備えている。利用情報記憶部４２１は、連携機器を識別する連携機器ＩＤと、連携機器に関連する関連情報（例えば、利用情報）とを対応付けて記憶する。連携問合要求部４３２は、問合せ対象の機器を識別する対象機器ＩＤを含む情報問合せ要求に応じて、テレビ２の機器ＩＤと、ＳＴＢ１の機器ＩＤとを対応付けた機器接続情報を記憶する接続情報記憶部３２２を備える管理装置（機器ＩＤ管理サーバ３）に、対象機器ＩＤを含み、機器の連携を問合せる連携問合せ要求を送信する。連携ＩＤ取得部４３３は、連携問合要求部４３２によって送信された連携問合せ要求に応じて、接続情報記憶部３２２から抽出された、テレビ２の機器ＩＤとＳＴＢ１の機器ＩＤとのいずれか一方の識別子であって、対象機器ＩＤに対応付けられている識別子を連携機器ＩＤとして機器ＩＤ管理サーバ３から取得する。利用情報応答部４３４は、連携ＩＤ取得部４３３によって取得した連携機器ＩＤに対応付けられている関連情報（例えば、利用情報）を、利用情報記憶部４２１から取得し、当該関連情報を情報問合せ要求の要求元（例えば、サービス提供サーバ５）に送信する。
これにより、本実施形態による情報収集サーバ４は、上述したＳＴＢ１及び機器ＩＤ管理サーバ３と同様に、利用者に機器の連携を意識させずに好適に機器を連携させることができ、利便性を向上させることができる。
【００９７】
また、本実施形態では、関連情報には、テレビ２の利用情報が含まれる。連携ＩＤ取得部４３３は、対象機器ＩＤと一致するＳＴＢ１の機器ＩＤに対応付けられているテレビ２の機器ＩＤを連携機器ＩＤとして機器ＩＤ管理サーバ３（管理装置）から取得する。利用情報応答部４３４は、連携機器ＩＤに対応付けられているテレビ２の利用情報を情報問合せ要求の要求元（例えば、サービス提供サーバ５）に送信する。
これにより、本実施形態による情報収集サーバ４は、ＳＴＢ１に連携（接続）されているテレビ２の利用情報を適切に情報問合せ要求の要求元（例えば、サービス提供サーバ５）に提供することができる。
【００９８】
なお、上述した本実施形態に一例では、機器ＩＤ管理サーバ３と情報収集サーバ４とを異なる２つのサーバ装置により実現する例を説明したが、機器ＩＤ管理サーバ３と情報収集サーバ４とを１つのサーバ装置により実現してもよい。この場合、サーバ装置（機器ＩＤ管理サーバ３及び情報収集サーバ４）は、接続情報記憶部３２２と、利用情報記憶部４２１と、識別子抽出部（例えば、連携問合要求部４３２及び機器ＩＤ応答部３３３）と、情報応答部（例えば、利用情報応答部４３４）とを備えている。識別子抽出部（例えば、連携問合要求部４３２及び機器ＩＤ応答部３３３）は、問合せ対象の機器を識別する対象機器ＩＤを含む情報問合せ要求に応じて、テレビ２の機器ＩＤとＳＴＢ１の機器ＩＤとのいずれか一方の機器ＩＤであって、対象機器ＩＤに対応付けられている機器ＩＤを連携機器ＩＤとして接続情報記憶部３２２から抽出する。情報応答部（例えば、利用情報応答部４３４）は、識別子抽出部によって抽出された連携機器ＩＤに対応付けられている関連情報（例えば、利用情報）を、利用情報記憶部４２１から取得し、当該関連情報（例えば、利用情報）を情報問合せ要求の要求元（例えば、サービス提供サーバ５）に送信する。
これにより、本実施形態によるサーバ装置（機器ＩＤ管理サーバ３及び情報収集サーバ４）は、上述したＳＴＢ１と同様に、利用者に機器の連携を意識させずに好適に機器を連携させることができ、利便性を向上させることができる。
【００９９】
また、本実施形態による機器連携システム１００は、ＳＴＢ１と、少なくとも１つ以上のサーバ装置（例えば、機器ＩＤ管理サーバ３及び情報収集サーバ４）とを備えている。
ＳＴＢ１は、上述した機器ＩＤ要求部１６２と、機器連携登録部１６３とを備えている。また、少なくとも１つ以上のサーバ装置（例えば、機器ＩＤ管理サーバ３及び情報収集サーバ４）は、上述した接続情報記憶部３２２と、利用情報記憶部４２１と、識別子抽出部（例えば、連携問合要求部４３２及び機器ＩＤ応答部３３３）と、情報応答部（例えば、利用情報応答部４３４）とを備えている。
これにより、本実施形態による機器連携システム１００は、上述したＳＴＢ１及びサーバ装置（機器ＩＤ管理サーバ３及び情報収集サーバ４）と同様に、利用者に機器の連携を意識させずに好適に機器を連携させることができ、利便性を向上させることができる。
【０１００】
また、本実施形態による機器連携方法は、上述した接続情報記憶部３２２を備える機器ＩＤ管理サーバ３による機器連携方法であって、識別子応答ステップを含んでいる。識別子応答ステップにおいて、機器ＩＤ管理サーバ３は、問合せ対象の機器を識別する対象機器ＩＤを含み、機器の連携を問合せる連携問合せ要求に応じて、テレビ２の機器ＩＤとＳＴＢ１の機器ＩＤとのいずれか一方の機器ＩＤであって、対象機器ＩＤに対応付けられている機器ＩＤを連携機器ＩＤとして接続情報記憶部３２２から抽出し、当該連携機器ＩＤを連携問合せ要求の要求元（例えば、情報収集サーバ４）に送信する。
これにより、本実施形態による機器連携方法は、機器ＩＤ管理サーバ３と同様に、利用者に機器の連携を意識させずに好適に機器を連携させることができ、利便性を向上させることができる。
【０１０１】
また、本実施形態による機器連携方法は、上述した利用情報記憶部４２１を備える情報収集サーバ４による機器連携方法であって、連携問合要求ステップと、識別子取得ステップと、情報応答ステップとを含んでいる。連携問合要求ステップにおいて、情報収集サーバ４は、問合せ対象の機器を識別する対象機器ＩＤを含む情報問合せ要求に応じて、上述した機器接続情報を記憶する接続情報記憶部３２２を備える管理装置（例えば、機器ＩＤ管理サーバ３）に、対象機器ＩＤを含み、機器の連携を問合せる連携問合せ要求を送信する。識別子取得ステップにおいて、情報収集サーバ４は、連携問合要求ステップによって送信された連携問合せ要求に応じて、接続情報記憶部３２２から抽出された、テレビ２の機器ＩＤとＳＴＢ１の機器ＩＤとのいずれか一方の機器ＩＤであって、対象機器ＩＤに対応付けられている機器ＩＤを連携機器ＩＤとして管理装置から取得する。情報応答ステップにおいて、情報収集サーバ４は、識別子取得ステップによって取得した連携機器ＩＤに対応付けられている関連情報（例えば、利用情報）を、利用情報記憶部４２１から取得し、当該関連情報（例えば、利用情報）を情報問合せ要求の要求元に送信する。
これにより、本実施形態による機器連携方法は、情報収集サーバ４と同様に、利用者に機器の連携を意識させずに好適に機器を連携させることができ、利便性を向上させることができる。
【０１０２】
また、本実施形態による機器連携方法は、上述した接続情報記憶部３２２と、利用情報記憶部４２１とを備えるサーバ装置による機器連携方法であって、識別子抽出ステップと、情報応答ステップとを含んでいる。識別子抽出ステップにおいて、サーバ装置は、問合せ対象の機器を識別する対象機器ＩＤを含む情報問合せ要求に応じて、テレビ２の機器ＩＤとＳＴＢ１の機器ＩＤとのいずれか一方の機器ＩＤであって、対象機器ＩＤに対応付けられている機器ＩＤを連携機器ＩＤとして接続情報記憶部３２２から抽出する。情報応答ステップにおいて、サーバ装置は、識別子抽出ステップによって抽出された連携機器ＩＤに対応付けられている関連情報（例えば、利用情報）を、利用情報記憶部４２１から取得し、当該関連情報（例えば、利用情報）を情報問合せ要求の要求元に送信する。
これにより、本実施形態による機器連携方法は、機器ＩＤ管理サーバ３及び情報収集サーバ４と同様に、利用者に機器の連携を意識させずに好適に機器を連携させることができ、利便性を向上させることができる。
【０１０３】
［第２の実施形態］
次に、図面を参照して、第２の実施形態による機器連携システム１００ａについて説明する。
図１１は、第２の実施形態による機器連携システム１００ａの一例を示す機能ブロック図である。
図１１に示すように、機器連携システム１００ａは、ＳＴＢ１と、テレビ２と、機器ＩＤ管理サーバ３と、ユーザＩＤ管理サーバ４ａと、サービス提供サーバ５とを備えている。なお、ＳＴＢ１と、テレビ２と、機器ＩＤ管理サーバ３と、ユーザＩＤ管理サーバ４ａと、サービス提供サーバ５とは、ネットワークＮＷ１を介して互いに接続可能である。
【０１０４】
本実施形態では、ＳＴＢ１とテレビ２とが連携され、テレビ２が、サービス提供サーバ５からＳＴＢ１の利用者情報（ユーザ情報）に基づいたサービスの提供を受ける場合の一例について説明する。
なお、図１１において、図１と同一の構成には同一の符号を付与し、その説明を省略する。
【０１０５】
ユーザＩＤ管理サーバ４ａ（サーバ装置の一例）は、ネットワークＮＷ１を介して、ＳＴＢ１の利用者情報（ユーザ情報）を取得する。また、ユーザＩＤ管理サーバ４ａは、ネットワークＮＷ１を介してサービス提供サーバ５から受信した情報問合せ要求に応じて、連携問合せ要求を機器ＩＤ管理サーバ３に送信する。また、ユーザＩＤ管理サーバ４ａは、ネットワークＮＷ１を介して機器ＩＤ管理サーバ３から受信した連携機器ＩＤに対応するＳＴＢ１の利用者情報を、サービス提供サーバ５に送信する。
また、ユーザＩＤ管理サーバ４ａは、ＮＷ通信部４１と、記憶部４２ａと、制御部４３ａとを備えている。
【０１０６】
記憶部４２ａは、ユーザＩＤ管理サーバ４ａが実行する処理に利用する各種情報を記憶する。記憶部４２ａは、例えば、ＳＴＢ１の利用者情報などを記憶する。また、記憶部４２ａは、ユーザ情報記憶部４２１ａを備えている。
【０１０７】
ユーザ情報記憶部４２１ａ（関連情報記憶部の一例）は、ＳＴＢ１の利用者情報であるユーザ情報を記憶する。ユーザ情報記憶部４２１ａは、例えば、図１２に示すように、ＳＴＢ１の機器ＩＤと当該ＳＴＢ１のユーザ情報（ユーザ登録情報）とを対応付けて記憶する。
図１２は、本実施形態におけるユーザ情報記憶部４２１ａのデータ例を示す図である。
図１２に示すように、ユーザ情報記憶部４２１ａは、「ＳＴＢの機器ＩＤ」と、「ユーザ登録情報」とを対応付けて記憶する。ここで、「ユーザ登録情報」は、利用者情報であるユーザ情報を示す情報である。
【０１０８】
図１２に示す例では、「ＳＴＢの機器ＩＤ」が“ＳＳＳＳＳＳＳＳ”であるＳＴＢ１に対応する「ユーザ登録情報」が、“ユーザＡ”であることを示している。また、「ＳＴＢの機器ＩＤ」が“ＤＤＤＤＤＤＤＤ”であるＳＴＢ１に対応する「ユーザ登録情報」が、“ユーザ未登録”であることを示している。
このように、ユーザ情報記憶部４２１ａは、連携機器（例えば、ＳＴＢ１）を識別する連携機器ＩＤと、連携機器（例えば、ＳＴＢ１）に関連する関連情報とを対応付けて記憶する。なお、本実施形態において、ＳＴＢ１の利用者情報（ユーザ情報）は、関連情報の一例である。
【０１０９】
再び図１１に戻り、制御部４３ａは、例えば、ＣＰＵなどを含むプロセッサであり、ユーザＩＤ管理サーバ４ａを統括的に制御する。制御部４３ａは、ＳＴＢ１の利用者情報を登録し、ＳＴＢ１の利用者情報をユーザ情報記憶部４２１ａに記憶させる。また、制御部４３ａは、サービス提供サーバ５から受信した情報問合せ要求に応じて、連携問合せ要求を機器ＩＤ管理サーバ３に送信する。また、制御部４３ａは、機器ＩＤ管理サーバ３から受信した連携機器ＩＤに対応するＳＴＢ１の利用者情報をユーザ情報記憶部４２１ａから取得し、当該ＳＴＢ１の利用者情報をサービス提供サーバ５に送信する。
また、制御部４３ａは、ユーザ登録部４３１ａと、連携問合要求部４３２ａと、連携ＩＤ取得部４３３ａと、ユーザ情報応答部４３４ａとを備えている。
【０１１０】
ユーザ登録部４３１ａは、ＮＷ通信部４１を介してＳＴＢ１の利用者情報を取得して、ＳＴＢ１の機器ＩＤと、利用者情報とを対応付けてユーザ情報記憶部４２１ａに記憶させる。例えば、ユーザ登録部４３１ａは、図１２に示すように、「ＳＴＢの機器ＩＤ」と、「ユーザ登録情報」とを対応付けてユーザ情報記憶部４２１ａに記憶させる。
【０１１１】
連携問合要求部４３２ａは、対象機器ＩＤを含む情報問合せ要求に応じて、ＮＷ通信部４１を介して機器ＩＤ管理サーバ３（管理装置）に連携問合せ要求を送信する。ここで、連携問合せ要求には、対象機器ＩＤ（テレビ２の機器ＩＤ）が含まれている。
連携ＩＤ取得部４３３ａ（識別子取得部の一例）は、連携問合要求部４３２ａによって送信された連携問合せ要求に応じて、対象機器ＩＤに対応付けられている機器ＩＤを連携機器ＩＤとして、ＮＷ通信部４１を介して機器ＩＤ管理サーバ３から取得する。連携ＩＤ取得部４３３ａは、対象機器ＩＤと一致するテレビ２の機器ＩＤに対応付けられているＳＴＢ１の機器ＩＤを連携機器ＩＤとして機器ＩＤ管理サーバ３（管理装置）から取得する。
【０１１２】
ユーザ情報応答部４３４ａ（情報応答部の一例）は、連携ＩＤ取得部４３３ａによって取得した連携機器ＩＤに対応付けられている利用者情報（関連情報）を、ユーザ情報記憶部４２１ａから取得し、当該利用者情報を情報問合せ要求の要求元に送信する。例えば、連携ＩＤ取得部４３３ａが、連携機器ＩＤとして機器ＩＤ“ＳＳＳＳＳＳＳＳ”を取得した場合、ユーザ情報応答部４３４ａは、ユーザ情報記憶部４２１ａから図１２に示す“ユーザＡ”を取得する。そして、ユーザ情報応答部４３４ａは、情報問合せ要求の要求元であるサービス提供サーバ５に、ＮＷ通信部４１を介して“ユーザＡ”を含む電文を送信する。
なお、本実施形態におけるサービス提供サーバ５は、ＳＴＢ１のユーザ情報（利用者情報）に基づくサービス情報をテレビ２に提供する。
【０１１３】
次に、図面を参照して、本実施形態による機器連携システム１００ａの動作について説明する。なお、本実施形態におけるＳＴＢ１及びテレビ２の機器ＩＤの発行処理は、図５に示す第１の実施形態と同様であるので、ここではその説明を省略する。また、本実施形態における機器接続情報の登録処理は、図６に示す第１の実施形態と同様であるので、ここではその説明を省略する。
【０１１４】
次に、図１３を参照して、本実施形態におけるＳＴＢ１のユーザの登録処理について説明する。
図１３は、本実施形態におけるＳＴＢ１のユーザの登録処理の一例を示すフローチャートである。
図１３に示すように、まず、ＳＴＢ１は、ユーザ登録画面を開く（ステップＳ５０１）。ＳＴＢ１のＳＴＢ制御部１６は、例えば、利用者による操作部１３の操作に応じて、ユーザ登録画面をテレビ２の表示部２５に表示させる。
【０１１５】
次に、ＳＴＢ制御部１６は、ユーザ認証に必要な情報を、ユーザＩＤ管理サーバ４ａに送信する（ステップＳ５０２）。ＳＴＢ制御部１６は、ＮＷ通信部１１を介して、ユーザ認証に必要な情報を、ユーザＩＤ管理サーバ４ａに送信する。
【０１１６】
次に、ユーザＩＤ管理サーバ４ａは、ユーザ認証処理を実行する（ステップＳ５０３）。ユーザＩＤ管理サーバ４ａのユーザ登録部４３１ａは、ＮＷ通信部４１を介してＳＴＢ１のユーザ認証に必要な情報を取得して、当該ユーザ認証に必要な情報に基づいて、ユーザ認証処理を実行する。
【０１１７】
次に、ユーザ登録部４３１ａは、認証が成功であるか否かを判定する（ステップＳ５０４）。ユーザ登録部４３１ａは、認証処理の結果が成功である場合（ステップＳ５０４：ＹＥＳ）に、処理をステップＳ５０５に進める。また、ユーザ登録部４３１ａは、認証処理の結果が失敗である場合（ステップＳ５０４：ＮＯ）に、処理をステップＳ５０６に進める。
【０１１８】
ステップＳ５０５において、ユーザ登録部４３１ａは、ユーザ情報（ユーザ登録情報）をユーザ情報記憶部４２１ａに記憶させる。ユーザ登録部４３１ａは、例えば、図１２に示すように、「ＳＴＢの機器ＩＤ」と、「ユーザ登録情報」とを対応付けてユーザ情報記憶部４２１ａに記憶させる。
【０１１９】
また、ステップＳ５０６において、ユーザ登録部４３１ａは、認証結果をＳＴＢ１に送信する。ユーザ登録部４３１ａは、例えば、ＮＷ通信部４１を介して、ユーザの登録処理の要求元であるＳＴＢ１に認証結果をＳＴＢ１に送信する。
【０１２０】
次に、図１４を参照して、本実施形態におけるユーザ情報の問合せ処理、及びサービスの提供処理について説明する。
図１４は、本実施形態におけるユーザ情報の問合せ処理、及びサービスの提供処理の一例を示すフローチャートである。
図１４に示すように、まず、サービス提供サーバ５は、ユーザ情報の問合せ要求をユーザＩＤ管理サーバ４ａに送信する（ステップＳ６０１）。サービス提供サーバ５のサービス提供部５３１は、サービスを提供するテレビ２の機器ＩＤを含む情報問合せ要求を、ＮＷ通信部５１を介してユーザＩＤ管理サーバ４ａに送信する。
【０１２１】
次に、ユーザＩＤ管理サーバ４ａの連携問合要求部４３２ａは、連携問合せ要求を機器ＩＤ管理サーバ３に送信する（ステップＳ６０２）。すなわち、連携問合要求部４３２ａは、テレビ２の機器ＩＤ（対象機器ＩＤ）を含む情報問合せ要求に応じて、受信したテレビ２の機器ＩＤを含む連携問合せ要求を、ＮＷ通信部４１を介して機器ＩＤ管理サーバ３に送信する。
【０１２２】
次に、機器ＩＤ管理サーバ３の機器ＩＤ応答部３３３は、連携するＳＴＢ１の機器ＩＤを抽出する（ステップＳ６０３）。機器ＩＤ応答部３３３は、例えば、ＮＷ通信部３１を介して受信した連携問合せ要求に応じて、連携問合せ要求に含まれるテレビ２の機器ＩＤに対応するＳＴＢ１の機器ＩＤを抽出する。すなわち、機器ＩＤ応答部３３３は、例えば、接続情報記憶部３２２が記憶する機器接続情報のうちから、受信したテレビ２の機器ＩＤに対応付けられているＳＴＢ１の機器ＩＤを抽出（取得）する。なお、ステップＳ６０３の処理の詳細については、図１５を参照して後述する。
【０１２３】
次に、機器ＩＤ応答部３３３は、連携問合せ応答をユーザＩＤ管理サーバ４ａに送信する（ステップＳ６０４）。機器ＩＤ応答部３３３は、接続情報記憶部３２２から抽出したＳＴＢ１の機器ＩＤを含む連携問合せ応答を、ＮＷ通信部３１を介して連携問合せ要求の要求元であるユーザＩＤ管理サーバ４ａに送信する。
【０１２４】
次に、ユーザＩＤ管理サーバ４ａのユーザ情報応答部４３４ａは、連携するＳＴＢ１の機器ＩＤに対応するユーザ情報（利用者情報）を取得する（ステップＳ６０５）。ユーザ情報応答部４３４ａは、ＮＷ通信部４１を介して機器ＩＤ管理サーバ３から受信した連携問合せ応答に含まれるＳＴＢ１の機器ＩＤに対応するユーザ情報（利用者情報）を、ユーザ情報記憶部４２１ａから取得する。なお、ステップＳ６０５の処理の詳細については、図１６を参照して後述する。
【０１２５】
次に、ユーザ情報応答部４３４ａは、ＳＴＢ１のユーザ情報（利用者情報）を、サービス提供サーバ５に送信する（ステップＳ６０６）。ユーザ情報応答部４３４ａは、ユーザ情報記憶部４２１ａから取得したテレビ２に接続（連携）されているＳＴＢ１のユーザ情報（利用者情報）を、ＮＷ通信部４１を介して情報問合せ要求の要求元であるサービス提供サーバ５に送信する。
【０１２６】
次に、サービス提供サーバ５のサービス提供部５３１は、ＳＴＢ１のユーザ情報（利用者情報）に基づくサービスをテレビ２に提供する（ステップＳ６０７）。サービス提供部５３１は、例えば、ＮＷ通信部５１を介して、テレビ２に接続（連携）されているＳＴＢ１のユーザ情報（利用者情報）を受信し、受信したＳＴＢ１のユーザ情報（利用者情報）に基づいて、各種サービス情報を、例えば、ＮＷ通信部５１を介してテレビ２に送信する。
【０１２７】
次に、上述した図１４のステップＳ６０３の処理について、図１５を参照して説明する。
図１５は、本実施形態における連携するＳＴＢ１の機器ＩＤの抽出処理の一例を示すフローチャートである。
図１５に示すように、機器ＩＤ応答部３３３は、まず、連携問合せ要求を受け付ける（ステップＳ６１１）。機器ＩＤ応答部３３３は、例えば、ＮＷ通信部３１を介して受信した連携問合せ要求を受け付ける。
【０１２８】
次に、機器ＩＤ応答部３３３は、受け付けた連携問合せ要求に含まれる機器ＩＤが、テレビ２の機器ＩＤであるか否かを判定する（ステップＳ６１２）。機器ＩＤ応答部３３３は、例えば、連携問合せ要求に含まれる機器ＩＤと一致する機器ＩＤ記憶部３２１が記憶する機器ＩＤに対応する機器ＩＤの発行先が、テレビ２であるか否かを判定する。機器ＩＤ応答部３３３は、連携問合せ要求に含まれる機器ＩＤが、テレビ２の機器ＩＤである場合（ステップＳ６１２：ＹＥＳ）に、処理をステップＳ６１３に進める。また、機器ＩＤ応答部３３３は、連携問合せ要求に含まれる機器ＩＤが、テレビ２の機器ＩＤでない場合（ステップＳ６１２：ＮＯ）に、処理をステップＳ６１６に進める。
【０１２９】
ステップＳ６１３において、機器ＩＤ応答部３３３は、テレビ２の機器ＩＤに対応するＳＴＢ１の機器ＩＤがあるか否かを判定する。すなわち、機器ＩＤ応答部３３３は、接続情報記憶部３２２を参照して、連携問合せ要求に含まれるテレビ２の機器ＩＤを含む機器接続情報があるか否かを判定する。機器ＩＤ応答部３３３は、テレビ２の機器ＩＤに対応するＳＴＢ１の機器ＩＤがある場合（ステップＳ６１３：ＹＥＳ）に、処理をステップＳ６１４に進める。また、機器ＩＤ応答部３３３は、テレビ２の機器ＩＤに対応するＳＴＢ１の機器ＩＤがない場合（ステップＳ６１３：ＮＯ）に、処理をステップＳ６１５に進める。
【０１３０】
ステップＳ６１４において、機器ＩＤ応答部３３３は、テレビ２の機器ＩＤに対応するＳＴＢ１の機器ＩＤを連携問合せ応答として、ＮＷ通信部３１に送信させ、処理を終了する。
また、ステップＳ６１５において、機器ＩＤ応答部３３３は、参照可能な機器ＩＤが
ない旨の応答を連携問合せ応答として、ＮＷ通信部３１に送信させ、処理を終了する。
また、ステップＳ６１６において、機器ＩＤ応答部３３３は、連携問合せ要求に含まれる機器ＩＤ（ＳＴＢ１の機器ＩＤ）を連携問合せ応答として、ＮＷ通信部３１に送信させ、処理を終了する。
【０１３１】
次に、上述した図１４のステップＳ６０５の処理について、図１６を参照して説明する。
図１６は、本実施形態における連携するＳＴＢ１のユーザ情報の取得処理の一例を示すフローチャートである。
図１６に示すように、ユーザ情報応答部４３４ａは、まず、機器ＩＤが得られたか否かを判定する（ステップＳ６２１）。ユーザ情報応答部４３４ａは、例えば、ＮＷ通信部３１を介して受信した連携問合せ応答に機器ＩＤ（ＳＴＢ１の機器ＩＤ）が含まれているか否かを判定する。ユーザ情報応答部４３４ａは、機器ＩＤが得られた場合（ステップＳ６２１：ＹＥＳ）に、処理をステップＳ６２２に進める。また、ユーザ情報応答部４３４ａは、機器ＩＤが得られていない場合（ステップＳ６２１：ＮＯ）に、テレビ２に連携されているＳＴＢ１がないと判定し、処理をステップＳ６２４に進める。
【０１３２】
ステップＳ６２２において、ユーザ情報応答部４３４ａは、ＳＴＢ１の機器ＩＤに対応するユーザ情報があるか否かを判定する。すなわち、ユーザ情報応答部４３４ａは、ユーザ情報記憶部４２１ａを参照して、連携問合せ応答に含まれるＳＴＢ１の機器ＩＤに対応するユーザ情報（ユーザ登録情報）があるか否かを判定する。ユーザ情報応答部４３４ａは、ＳＴＢ１の機器ＩＤに対応するユーザ情報がある場合（ステップＳ６２２：ＹＥＳ）に、処理をステップＳ６２３に進める。また、ユーザ情報応答部４３４ａは、ＳＴＢ１の機器ＩＤに対応するユーザ情報がない場合（ステップＳ６２２：ＮＯ）に、処理をステップＳ６２４に進める。
【０１３３】
ステップＳ６２３において、ユーザ情報応答部４３４ａは、ＳＴＢ１の機器ＩＤに対応するユーザ情報をＮＷ通信部４１に送信させ、処理を終了する。
また、ステップＳ６２４において、ユーザ情報応答部４３４ａは、ＳＴＢ１のユーザ情報がない旨の応答をＮＷ通信部４１に送信させ、処理を終了する。
【０１３４】
以上説明したように、本実施形態による機器ＩＤ応答部３３３は、対象機器ＩＤと一致するテレビ２の機器ＩＤが接続情報記憶部３２２に記憶されている場合に、対象機器ＩＤと一致するテレビ２の機器ＩＤに対応付けられているＳＴＢ１の機器ＩＤを連携機器ＩＤとして連携問合せ要求の要求元（例えば、ユーザＩＤ管理サーバ４ａ）に送信する。
これにより、本実施形態による機器ＩＤ管理サーバ３は、テレビ２に連携（接続）されているＳＴＢ１の機器ＩＤを適切に連携問合せ要求の要求元（例えば、ユーザＩＤ管理サーバ４ａ）に提供することができる。
【０１３５】
また、本実施形態によるユーザＩＤ管理サーバ４ａ（サーバ装置）は、ユーザ情報記憶部４２１ａ（関連情報記憶部）と、連携問合要求部４３２ａと、連携ＩＤ取得部４３３ａ（識別子取得部）と、ユーザ情報応答部４３４ａ（情報応答部）とを備えている。ユーザ情報記憶部４２１ａは、連携機器を識別する連携機器ＩＤと、連携機器に関連する関連情報（例えば、ユーザ情報）とを対応付けて記憶する。連携問合要求部４３２ａは、問合せ対象の機器を識別する対象機器ＩＤを含む情報問合せ要求に応じて、テレビ２の機器ＩＤと、ＳＴＢ１の機器ＩＤとを対応付けた機器接続情報を記憶する接続情報記憶部３２２を備える管理装置（機器ＩＤ管理サーバ３）に、対象機器ＩＤを含み、機器の連携を問合せる連携問合せ要求を送信する。連携ＩＤ取得部４３３ａは、連携問合要求部４３２ａによって送信された連携問合せ要求に応じて、接続情報記憶部３２２から抽出された、テレビ２の機器ＩＤとＳＴＢ１の機器ＩＤとのいずれか一方の識別子であって、対象機器ＩＤに対応付けられている識別子を連携機器ＩＤとして機器ＩＤ管理サーバ３から取得する。ユーザ情報応答部４３４ａは、連携ＩＤ取得部４３３ａによって取得した連携機器ＩＤに対応付けられている関連情報（例えば、ユーザ情報）を、ユーザ情報記憶部４２１ａから取得し、当該関連情報を情報問合せ要求の要求元（例えば、サービス提供サーバ５）に送信する。
これにより、本実施形態によるユーザＩＤ管理サーバ４ａは、第１の実施形態と同様に、利用者に機器の連携を意識させずに好適に機器を連携させることができ、利便性を向上させることができる。
【０１３６】
また、本実施形態では、関連情報には、テレビ２に接続されている機器の利用者に関するユーザ情報（利用者情報）が含まれる。連携ＩＤ取得部４３３ａは、対象機器ＩＤと一致するテレビ２の機器ＩＤに対応付けられているＳＴＢ１の機器ＩＤを連携機器ＩＤとして管理装置から取得する。そして、ユーザ情報応答部４３４ａは、連携機器ＩＤに対応付けられているユーザ情報（利用者情報）を連携問合せ要求の要求元（例えば、サービス提供サーバ５）に送信する。
これにより、本実施形態によるユーザＩＤ管理サーバ４ａは、テレビ２に連携（接続）されているＳＴＢ１のユーザ情報を適切に情報問合せ要求の要求元（例えば、サービス提供サーバ５）に提供することができる。
【０１３７】
なお、本発明は、上記の各実施形態に限定されるものではなく、本発明の趣旨を逸脱しない範囲で変更可能である。
例えば、上記の各実施形態は、単独で実施される例を説明したが、第１の実施形態と第２の実施形態とを組み合わせて実施してもよい。
【０１３８】
また、上記の各実施形態において、ＳＴＢ１から機器接続情報を機器ＩＤ管理サーバ３に送信する例を説明したが、テレビ２から機器接続情報を送信するようにしてもよい。この場合、テレビ２（受像機器）は、例えば、ＳＴＢ１の代わりに、機器ＩＤ要求部１６２（識別子要求部）と、機器連携登録部１６３（連携登録部）とを備えていてもよい。なお、この場合の機器ＩＤ要求部１６２は、ＳＴＢ１が接続された場合に、ＳＴＢ１を識別するＳＴＢ１の機器ＩＤ（この場合、第１識別子となる）を要求する機器ＩＤ要求（識別子要求）をＳＴＢ１に送信する。また、機器連携登録部１６３は、機器ＩＤ要求部１６２による機器ＩＤ要求に応じてＳＴＢ１から得られたＳＴＢ１の機器ＩＤと、自装置（テレビ２）を識別するテレビ２の機器ＩＤ（この場合、第２識別子となる）とを対応付けた機器接続情報を、機器ＩＤ管理サーバ３に送信する。これにより、テレビ２は、上述したＳＴＢ１と同様に、利用者に機器の連携を意識させずに好適に機器を連携させることができ、利便性を向上させることができる。また、この場合、テレビ２が、ＳＴＢ１の代わりに接続判定部１６１を備えていてもよい。
【０１３９】
また、上記の各実施形態において、１台のＳＴＢ１と１台のテレビ２とを接続して連携させる例を説明したが、例えば、１台のテレビ２と複数のＳＴＢ１とを接続して連携させるようにしてもよい。また、テレビ２に接続する機器は、ＳＴＢ１に限定されるものではなく、例えば、ＨＤＤレコーダなどの他の機器であってもよい。また、例えば、上述した第２の実施形態において、テレビ２に複数のＳＴＢ１が接続され、サービス提供サーバ５は、各ＳＴＢ１に対応付けられた複数のユーザ情報を取得して、当該複数のユーザ情報に基づいて、サービスをテレビ２に提供してもよい。なお、この場合、図３に示す接続情報記憶部３２２には、例えば、異なるＳＴＢ１の機器ＩＤに同一のテレビ２の機器ＩＤが対応付けられた複数の機器接続情報が記憶される。
【０１４０】
また、上述した第２の実施形態において、１台のＳＴＢ１に対して、複数の利用者を登録するようにしてもよい。この場合、図１２に示すユーザ情報は、例えば、１台のＳＴＢ１に対して、複数のユーザ情報が対応付けられて、ユーザ情報記憶部４２１ａに記憶されていてもよい。また、このような１台のＳＴＢ１に対して複数の利用者を登録する場合と、上述したテレビ２に複数のＳＴＢ１が接続される場合とが混在してもよい。この場合、サービス提供サーバ５は、例えば、１台のテレビ２に複数のＳＴＢ１が接続されて複数のユーザ情報が取得される場合と、１台のテレビ２に一台のＳＴＢ１が接続されて複数のユーザ情報が取得される場合との違いを管理する必要がなく、適切にサービスを提供することができる。また、利用者は、これらの接続の違い、及びユーザ登録の違いを意識することなく、サービスの提供を受けることができる。
【０１４１】
また、上記の各実施形態において、ＳＴＢ１とテレビ２との間をＨＤＭＩにより接続する例を説明したが、これに限定されるものではなく、映像及び機器ＩＤの送信が可能なインターフェースであれば、他のインターフェースであってもよい。
また、上記の実施形態において、機器ＩＤ管理サーバ３、情報収集サーバ４、及びユーザＩＤ管理サーバ４ａのそれぞれは、１台のサーバ装置である例を説明したが、これに限定されるものではなく、複数のサーバ装置により実現されてもよい。また、機器ＩＤ管理サーバ３と情報収集サーバ４とは、１台のサーバ装置により実現してもよい。また、機器ＩＤ管理サーバ３とユーザＩＤ管理サーバ４ａとは、１台のサーバ装置により実現してもよい。
【０１４２】
なお、上述した機器連携システム１００（１００ａ）は、内部に、コンピュータシステムを有している。そして、上述した機器連携システム１００（１００ａ）が備える各構成の機能を実現するためのプログラムをコンピュータ読み取り可能な記録媒体に記録して、この記録媒体に記録されたプログラムをコンピュータシステムに読み込ませ、実行することにより上述した機器連携システム１００（１００ａ）が備える各構成における処理を行ってもよい。なお、ここでいう「コンピュータシステム」とは、機器連携システム１００（１００ａ）に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【０１４３】
また、上述した機能の一部又は全部を、ＬＳＩ（Ｌａｒｇｅ  Ｓｃａｌｅ  Ｉｎｔｅｇｒａｔｉｏｎ）等の集積回路として実現してもよい。上述した各機能は個別にプロセッサ化してもよいし、一部、又は全部を集積してプロセッサ化してもよい。また、集積回路化の手法はＬＳＩに限らず専用回路、又は汎用プロセッサで実現してもよい。また、半導体技術の進歩によりＬＳＩに代替する集積回路化の技術が出現した場合、当該技術による集積回路を用いてもよい。
【符号の説明】
【０１４４】
１…ＳＴＢ、２…テレビ、３…機器ＩＤ管理サーバ、４…情報収集サーバ、４ａ…ユーザＩＤ管理サーバ、５…サービス提供サーバ、１１，２１，３１，４１，５１…ＮＷ通信部、１２，２２…機器通信部、１３，２３…操作部、１４…映像受信部、１５…ＳＴＢ記憶部、１６…ＳＴＢ制御部、２４…受像処理部、２５…表示部、２６…テレビ記憶部、２７…テレビ制御部、３２，４２，４２ａ，５２…記憶部、３３，４３，４３ａ，５３…制御部、１００，１００ａ…機器連携システム、１５１，２６１…ＩＤ記憶部、１６１…接続判定部、１６２…機器ＩＤ要求部、１６３…機器連携登録部、３２１…機器ＩＤ記憶部、３２２…接続情報記憶部、３３１…機器ＩＤ生成部、３３２…機器連携受付部、３３３…機器ＩＤ応答部、４２１…利用情報記憶部、４２１ａ…ユーザ情報記憶部、４３１…利用情報収集部、４３１ａ…ユーザ登録部、４３２，４３２ａ…連携問合要求部、４３３，４３３ａ…連携ＩＤ取得部、４３４…利用情報応答部、４３４ａ…ユーザ情報応答部、５３１…サービス提供部、ＮＷ１…ネットワーク
【図１】
0006660797.tif 000002
【図２】
0006660797.tif 000003
【図３】
0006660797.tif 000004
【図４】
0006660797.tif 000005
【図５】
0006660797.tif 000006
【図６】
0006660797.tif 000007
【図７】
0006660797.tif 000008
【図８】
0006660797.tif 000009
【図９】
0006660797.tif 000010
【図１０】
0006660797.tif 000011
【図１１】
0006660797.tif 000012
【図１２】
0006660797.tif 000013
【図１３】
0006660797.tif 000014
【図１４】
0006660797.tif 000015
【図１５】
0006660797.tif 000016
【図１６】
0006660797.tif 000017